(57)【特許請求の範囲】
【請求項１】
遊技島台に列設される遊技機における遊技において遊技者が獲得したパチンコ玉の総数を獲得玉数として表示する獲得玉数表示装置であって、
前記獲得玉数表示装置は、
前記獲得玉数を数値で表示する玉数表示部と、
前記遊技島台に設けられるパチンコ玉の補給経路に接続されると共に、前記遊技機における遊技で遊技者がパチンコ玉を獲得することに伴ってパチンコ玉を前記補給経路から当該獲得玉数表示装置内に導入する玉導入手段と、
該玉導入手段によって導入されたパチンコ玉を遊技者が視認可能に流下させる視認通路部と、
該視認通路部を流下させたパチンコ玉を貯留することによって所定数のパチンコ玉を獲得していることを遊技者に認識させる複数の貯留演出表示部と、
該複数の貯留演出表示部に対してパチンコ玉の貯留が可能な状態とパチンコ玉の貯留が不可能な状態との間で移行制御することで、前記複数の貯留演出表示部による前記獲得玉数の表示を制御する貯留演出表示制御手段と、
前記複数の貯留演出表示部のパチンコ玉が満杯となった状態で前記玉導入手段によりパチンコ玉が導入された場合に、当該パチンコ玉を前記獲得玉数表示装置の外部に排出する排出通路部と、を備え、
前記複数の貯留演出表示部のそれぞれは、当該貯留演出表示部の前面側を視認可能に被覆する透明カバー部材と、該透明カバー部材の内部に配置される内部突起部材と、を備えると共に、該内部突起部材と前記透明カバー部材との間には、パチンコ玉の直径よりも若干大きめの間隔となってパチンコ玉を貯留し得る貯留空間が設けられ、当該貯留空間にパチンコ玉が満杯に貯留されたときに、遊技者に対して前記所定数のパチンコ玉で埋まったように見せる底上げ構造に形成されていることを特徴とする獲得玉数表示装置。
【請求項２】
前記視認通路部及び前記複数の貯留演出表示部は、それぞれパチンコ玉の流下方向に沿って上下方向に列設されると共に、前記上下方向に列設される前記視認通路部と各貯留演出表示部間には、各々を連通する連通通路部が設けられ、
前記視認通路部を流下したパチンコ玉は、前記複数の貯留演出表示部の各内部空間及び前記連通通路部を流下することで、前記複数の貯留演出表示部のうち最上位に位置する貯留演出表示部から最下位に位置する貯留演出表示部に向けて送り込まれることを特徴とする請求項１記載の獲得玉数表示装置。
【請求項３】
前記獲得玉数表示装置は、
当該獲得玉数表示装置と対応して設けられると共に遊技者が獲得しているパチンコ玉からのパチンコ玉の貸し出しを可能にする玉貸機においてパチンコ玉の貸し出しが行われた場合、遊技者が獲得したパチンコ玉の総数から前記玉貸機で貸し出されたパチンコ玉の総数を減算した数を前記獲得玉数として表示することを特徴とする請求項１又は請求項２に記載の獲得玉数表示装置。
【請求項４】
遊技島台に列設される遊技機における遊技において遊技者が獲得したパチンコ玉の総数を獲得玉数として表示する獲得玉数表示装置であって、
前記獲得玉数表示装置は、
前記獲得玉数を数値で表示する玉数表示部と、
当該獲得玉数表示装置内で循環使用するパチンコ玉を待機貯留する待機貯留部と、
該待機貯留部のパチンコ玉を遊技者が視認可能に流下させる視認通路部と、
該視認通路部を流下させたパチンコ玉を貯留することによって所定数のパチンコ玉を獲得していることを遊技者に認識させる複数の貯留演出表示部と、
該貯留演出表示部に貯留されることなく余剰となったパチンコ玉を回収する回収通路部と、
該回収通路部を流下したパチンコ玉及び前記待機貯留部に貯留されたパチンコ玉を揚送する玉揚送手段と、
該玉揚送手段によって揚送されたパチンコ玉を前記視認通路部又は前記待機貯留部のいずれかに振り分けて送り込む玉振分手段と、
前記複数の貯留演出表示部に対してパチンコ玉の貯留が可能な状態とパチンコ玉の貯留が不可能な状態との間で移行制御すると共に、前記獲得玉数の増減に伴って前記玉揚送手段によるパチンコ玉の揚送を実行制御し、前記獲得玉数が増加したときはパチンコ玉を前記視認通路部に送り込む一方、前記獲得玉数が減少したとき及び前記回収通路部にパチンコ玉が送り込まれたときはパチンコ玉を前記待機貯留部に送り込むように前記玉振分手段によるパチンコ玉の振り分けを制御することで、前記複数の貯留演出表示部による前記獲得玉数の表示を制御する貯留演出表示制御手段と、を備えることを特徴とする獲得玉数表示装置。
【発明の詳細な説明】
【技術分野】
【０００１】
本発明は、遊技島台に列設される遊技機における遊技において遊技者が獲得したパチンコ玉の総数を獲得玉数として表示する獲得玉数表示装置に関するものである。
【背景技術】
【０００２】
従来、一般に、遊技島台に列設されるパチンコ機等の遊技機には、遊技機からの払い出しによって遊技者が獲得するパチンコ玉を計数する玉計数装置を備えたものが提案されている。このような遊技機では、遊技終了時に、最終的に遊技者が獲得しているパチンコ玉の総数（以下、これを獲得玉数ともいう）を磁気カードに記録したり、あるいはレシートに印字するなどしてこれを遊技者に与えることで、景品との交換作業を容易にするようになっている。また、玉計数装置を備えた遊技機の構成において、特許文献１には、入賞に伴って払い出されるパチンコ玉（景品玉）の数に対応する得点を遊技者に付与して、遊技終了時に、遊技者が獲得している総得点を印字したレシートをプリンター装置から排出することで、当該レシートによる景品との交換を可能にした玉封入式パチンコ機が開示されている。この玉封入式パチンコ機の構成によれば、実際には遊技者に対してパチンコ玉の払い出しが行われない。このため、パチンコ玉が払い出されたという実感を遊技者に味あわせるために、入賞に伴って払い出されるべきパチンコ玉の流れを遊技者に対して疑似的に見せる払出確認表示装置をパチンコ機本体の一側に隣接して設けている。
また、特許文献２には、玉計数装置（各台計数機）で計数されたパチンコ玉をそのまま遊技者が視認可能に貯留していく遊技媒体演出装置を隣接して設けた遊技機が開示されている。特許文献２に記載の構成では、玉計数装置で計数されたパチンコ玉を揚上装置によって遊技媒体演出装置の上端位置まで揚上し、該揚上したパチンコ玉を遊技媒体演出装置の内部空間（パチンコ玉の貯留空間）に上方から導入して順次貯留していくようになっている。
また、特許文献３には、玉計数装置（計数機）で計数されたパチンコ玉の数値と対応するパチンコ玉（同数のパチンコ玉又は計数値の所定比率数となるパチンコ玉）を遊技者が視認可能に貯留していく出玉表示ユニットを隣接して設けた遊技機が開示されている。特許文献３に記載の構成では、玉計数装置によるパチンコ玉の計数値と対応した数のパチンコ玉を玉搬送管から出玉表示ユニットの透明容器（パチンコ玉の貯留空間）に導入して順次貯留していくようになっている。
【先行技術文献】
【特許文献】
【０００３】
【特許文献１】特開平６−２３１２８号公報（図３）
【特許文献２】特開２０１０−１４２５８２号公報（図９）
【特許文献３】特開２０１１−５０５５１号公報（図２）
【発明の概要】
【発明が解決しようとする課題】
【０００４】
ところで、上記した特許文献１に記載の構成によれば、実際のパチンコ玉を累積的に積み上げてこれを遊技者に見せる構成とはなっていないため、獲得したパチンコ玉を積み上げていくことによる達成感や優越感をリアルに遊技者に与えることができない。一方、特許文献２，３に記載の構成によれば、貯留空間内にパチンコ玉が満杯に貯留された状態で遊技者がパチンコ玉を獲得した場合、貯留空間からパチンコ玉が溢れ出る不具合を回避するため、遊技媒体演出装置（出玉表示ユニット）内へのパチンコ玉の導入を停止するようになっている。従って、獲得玉数が一定数を超えた場合には、獲得したパチンコ玉を貯留空間内に順次積み上げて貯留していく演出を行うことができない。
本発明は、上記した事情に鑑みなされたもので、その目的とするところは、獲得したパチンコ玉を積み上げていくことによる達成感や優越感をリアルに遊技者に与えた上で遊技継続中の獲得玉数を遊技者に認識させる構成において、獲得玉数に上限を設けることなく遊技者に獲得玉数を認識させる演出を継続的に行うことができる獲得玉数表示装置を提供することにある。
【課題を解決するための手段】
【０００５】
上記した目的を達成するために、請求項１の発明においては、遊技島台に列設される遊技機における遊技において遊技者が獲得したパチンコ玉の総数を獲得玉数として表示する獲得玉数表示装置であって、前記獲得玉数表示装置は、前記獲得玉数を数値で表示する玉数表示部と、前記遊技島台に設けられるパチンコ玉の補給経路に接続されると共に、前記遊技機における遊技で遊技者がパチンコ玉を獲得することに伴ってパチンコ玉を前記補給経路から当該獲得玉数表示装置内に導入する玉導入手段と、該玉導入手段によって導入されたパチンコ玉を遊技者が視認可能に流下させる視認通路部と、該視認通路部を流下させたパチンコ玉を貯留することによって所定数のパチンコ玉を獲得していることを遊技者に認識させる複数の貯留演出表示部と、該複数の貯留演出表示部に対してパチンコ玉の貯留が可能な状態とパチンコ玉の貯留が不可能な状態との間で移行制御することで、前記複数の貯留演出表示部による前記獲得玉数の表示を制御する貯留演出表示制御手段と、前記複数の貯留演出表示部のパチンコ玉が満杯となった状態で前記玉導入手段によりパチンコ玉が導入された場合に、当該パチンコ玉を前記獲得玉数表示装置の外部に排出する排出通路部と、を備え、前記複数の貯留演出表示部のそれぞれは、当該貯留演出表示部の前面側を視認可能に被覆する透明カバー部材と、該透明カバー部材の内部に配置される内部突起部材と、を備えると共に、該内部突起部材と前記透明カバー部材との間には、パチンコ玉の直径よりも若干大きめの間隔となってパチンコ玉を貯留し得る貯留空間が設けられ、当該貯留空間にパチンコ玉が満杯に貯留されたときに、遊技者に対して前記所定数のパチンコ玉で埋まったように見せる底上げ構造に形成されていることを特徴とする。
【０００６】
また、請求項２の発明においては、請求項１記載の獲得玉数表示装置において、前記視認通路部及び前記複数の貯留演出表示部は、それぞれパチンコ玉の流下方向に沿って上下方向に列設されると共に、前記上下方向に列設される前記視認通路部と各貯留演出表示部間には、各々を連通する連通通路部が設けられ、前記視認通路部を流下したパチンコ玉は、前記複数の貯留演出表示部の各内部空間及び前記連通通路部を流下することで、前記複数の貯留演出表示部のうち最上位に位置する貯留演出表示部から最下位に位置する貯留演出表示部に向けて送り込まれることを特徴とする。
【０００８】
また、請求項３の発明においては、請求項１又は請求項２に記載の獲得玉数表示装置において、前記獲得玉数表示装置は、当該獲得玉数表示装置と対応して設けられると共に遊技者が獲得しているパチンコ玉からのパチンコ玉の貸し出しを可能にする玉貸機においてパチンコ玉の貸し出しが行われた場合、遊技者が獲得したパチンコ玉の総数から前記玉貸機で貸し出されたパチンコ玉の総数を減算した数を前記獲得玉数として表示することを特徴とする。
【０００９】
また、上記した目的を達成するために、請求項４の発明においては、遊技島台に列設される遊技機における遊技において遊技者が獲得したパチンコ玉の総数を獲得玉数として表示する獲得玉数表示装置であって、前記獲得玉数表示装置は、前記獲得玉数を数値で表示する玉数表示部と、当該獲得玉数表示装置内で循環使用するパチンコ玉を待機貯留する待機貯留部と、該待機貯留部のパチンコ玉を遊技者が視認可能に流下させる視認通路部と、該視認通路部を流下させたパチンコ玉を貯留することによって所定数のパチンコ玉を獲得していることを遊技者に認識させる複数の貯留演出表示部と、該貯留演出表示部に貯留されることなく余剰となったパチンコ玉を回収する回収通路部と、該回収通路部を流下したパチンコ玉及び前記待機貯留部に貯留されたパチンコ玉を揚送する玉揚送手段と、該玉揚送手段によって揚送されたパチンコ玉を前記視認通路部又は前記待機貯留部のいずれかに振り分けて送り込む玉振分手段と、前記複数の貯留演出表示部に対してパチンコ玉の貯留が可能な状態とパチンコ玉の貯留が不可能な状態との間で移行制御すると共に、前記獲得玉数の増減に伴って前記玉揚送手段によるパチンコ玉の揚送を実行制御し、前記獲得玉数が増加したときはパチンコ玉を前記視認通路部に送り込む一方、前記獲得玉数が減少したとき及び前記回収通路部にパチンコ玉が送り込まれたときはパチンコ玉を前記待機貯留部に送り込むように前記玉振分手段によるパチンコ玉の振り分けを制御することで、前記複数の貯留演出表示部による前記獲得玉数の表示を制御する貯留演出表示制御手段と、を備えることを特徴とする。
【発明の効果】
【００１０】
請求項１の発明においては、遊技継続中に遊技者が獲得しているパチンコ玉の総数を獲得玉数として玉数表示部に数値で表示することにより、遊技者に対して獲得玉数を正確に認識させることができる。また、遊技機における遊技で遊技者がパチンコ玉を獲得することに伴って玉導入手段により獲得玉数表示装置内にパチンコ玉を導入し、そのパチンコ玉を遊技者が視認可能に視認通路部を流下させた後、複数の貯留演出表示部で遊技者が視認可能に貯留することで、獲得したパチンコ玉を積み上げていくことによる達成感や優越感をリアルに遊技者に与えた上で遊技継続中の獲得玉数を遊技者に認識させることができる。また、このような構成において、複数の貯留演出表示部のパチンコ玉が満杯となった状態で玉導入手段によりパチンコ玉が導入されたときに、当該パチンコ玉を獲得玉数表示装置の外部に排出する排出通路部が設けられることで、獲得玉数に上限を設けることなく遊技者に獲得玉数を認識させる演出を継続的に行うことができる。
また、前面側を視認可能に被覆する透明カバー部材と、該透明カバー部材の内部に配置される内部突起部材とによって貯留演出表示部を構成して、内部突起部材と透明カバー部材との間の貯留空間にパチンコ玉が満杯に貯留されたときに、遊技者に対して所定数のパチンコ玉で埋まったように見せる。これにより、所定数のパチンコ玉を獲得していることを認識させる貯留演出表示部の構成において、所定数よりも少ないパチンコ玉が満杯に貯留された状態でも、見た目上では貯留演出表示部に所定数のパチンコ玉が貯留されているように見せることができる。
【００１１】
また、請求項２の発明においては、視認通路部及び複数の貯留演出表示部を、それぞれパチンコ玉の流下方向に沿って上下方向に列設すると共に、視認通路部と各貯留演出表示部間に各々を連通する連通通路部を設け、視認通路部を流下したパチンコ玉を、複数の貯留演出表示部のうち最上位に位置する貯留演出表示部から最下位に位置する貯留演出表示部に向けて送り込む構成とする。これにより、演出表示部を構成する複数の貯留演出表示部に対して、自然落下によりスムーズにパチンコ玉を送り込むことができる。また、獲得玉数表示装置を縦長形状の構成とすることができるので、遊技島台に列設される各遊技機間となる狭いスペースに獲得玉数表示装置を配置することができる。
【００１３】
また、請求項３の発明においては、遊技者が獲得しているパチンコ玉からのパチンコ玉の貸し出しを可能にする玉貸機を設けて、該玉貸機によるパチンコ玉の貸し出しが行われた場合には、遊技者が獲得したパチンコ玉の総数から玉貸機で貸し出されたパチンコ玉の総数を減算した数を獲得玉数として獲得玉数表示装置で表示する。これにより、遊技者が獲得したパチンコ玉からのパチンコ玉の貸し出しを可能にすることで、遊技の利便性を高めることができ、然も、パチンコ玉の獲得あるいは貸し出しに応じてトータルとしての獲得玉数を遊技者に認識させることができる。
【００１４】
また、請求項４の発明においては、遊技継続中に遊技者が獲得しているパチンコ玉の総数を獲得玉数として玉数表示部に数値で表示することにより、遊技者に対して獲得玉数を正確に認識させることができる。また、遊技機における遊技で遊技者がパチンコ玉を獲得することに伴って獲得玉数表示装置内で循環使用するパチンコ玉を玉振分手段で視認通路部に送り込み、そのパチンコ玉を遊技者が視認可能に視認通路部を流下させた後、複数の貯留演出表示部で遊技者が視認可能に貯留することで、獲得したパチンコ玉を積み上げていくことによる達成感や優越感をリアルに遊技者に与えた上で遊技継続中の獲得玉数を遊技者に認識させることができる。また、このような構成において、複数の貯留演出表示部のパチンコ玉が満杯となった状態で玉振分手段によりパチンコ玉が送り込まれたときに、当該パチンコ玉を獲得玉数表示装置内で回収する回収通路部が設けられることで、獲得玉数に上限を設けることなく遊技者に獲得玉数を認識させる演出を継続的に行うことができる。
【図面の簡単な説明】
【００１５】
【図１】遊技島台の内部構造の一部と玉貸機、外枠、及び獲得玉数表示装置を示す正面図である。
【図２】遊技島台の内部構造の一部と玉貸機、外枠、及び獲得玉数表示装置を示す斜視図である。
【図３】獲得玉数表示装置を示す斜視図である。
【図４】獲得玉数表示装置を示す斜視断面図である。
【図５】獲得玉数表示装置の下側部分を示す部分斜視断面図である。
【図６】獲得玉数表示装置における制御装置の制御処理を示すフローチャートである。
【図７】玉積演出処理を示すフローチャートである。
【図８】玉数比例演出処理を示すフローチャートである。
【図９】待機処理を示すフローチャートである。
【図１０】獲得玉数表示装置内でのパチンコ玉の流れを説明するための縦断面図である。
【図１１】獲得玉数表示装置内でのパチンコ玉の流れを説明するための縦断面図である。
【図１２】獲得玉数表示装置内でのパチンコ玉の流れを説明するための縦断面図である。
【図１３】獲得玉数表示装置内でのパチンコ玉の流れを説明するための縦断面図である。
【図１４】第二実施形態における獲得玉数表示装置を示す斜視図である。
【図１５】第二実施形態における獲得玉数表示装置内でのパチンコ玉の流れを説明するための縦断面図である。
【図１６】第二実施形態における獲得玉数表示装置内でのパチンコ玉の流れを説明するための縦断面図である。
【図１７】第二実施形態における獲得玉数表示装置内でのパチンコ玉の流れを説明するための縦断面図である。
【図１８】第二実施形態における獲得玉数表示装置の変形例を示す斜視図である。
【図１９】第三実施形態における獲得玉数表示装置を示す斜視図である。
【図２０】第三実施形態における獲得玉数表示装置内でのパチンコ玉の流れを説明するための縦断面図である。
【図２１】第三実施形態における獲得玉数表示装置内でのパチンコ玉の流れを説明するための縦断面図である。
【図２２】第三実施形態における獲得玉数表示装置内でのパチンコ玉の流れを説明するための縦断面図である。
【図２３】第三実施形態における獲得玉数表示装置内でのパチンコ玉の流れを説明するための縦断面図である。
【図２４】第三実施形態における獲得玉数表示装置内でのパチンコ玉の流れを説明するための縦断面図である。
【発明を実施するための形態】
【００１６】
以下、図面を参照して本発明の実施形態について説明する。先ず、図１及び図２を参照して、本実施形態に係る遊技島台１の概略構成について説明する。図１は、遊技島台１の内部構造の一部と玉貸機２、外枠９、及び獲得玉数表示装置１０を示す正面図である。図２は、遊技島台１の内部構造の一部と玉貸機２、外枠９、及び獲得玉数表示装置１０を示す斜視図である。
【００１７】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板３が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板７が取り付けられる。
【００１８】
上部島枠４と下部島枠５との間には、複数の遊技機（外枠９）が所定の間隔をあけて配置されると共に、隣接する各遊技機間には、個々の遊技機と対応するように玉貸機２と獲得玉数表示装置１０とが配置されている。玉貸機２は、隣接して対応する遊技機（図１及び図２中の右隣りの遊技機）に対してパチンコ玉の貸し出しを制御するものであり、獲得玉数表示装置１０は、玉貸機２を挟んで対応する遊技機において遊技者が獲得しているパチンコ玉（以下、これを獲得玉ともいう）の総数（以下、これを獲得玉数ともいう）を遊技者が確認できるようにするためのものである。玉貸機２は、遊技者がパチンコ玉を獲得している場合、獲得玉からパチンコ玉の貸し出しを行う一方、遊技者がパチンコ玉を獲得していない場合、玉貸機２用に設けられたプリペイドタイプの持ち玉カード（プリペイドカードの機能と、遊技者が獲得しているパチンコ玉の数値データを記憶する機能とを合わせ持ったカード）の減額処理に基づいてパチンコ玉の貸し出しを行うようになっている。
【００１９】
なお、獲得玉数表示装置１０の詳細については後述する。また、遊技機は、木製材料から形成された矩形状の外枠９と、該外枠９の下辺前端に取り付けられる装飾カバー板８と、外枠９内に取り付けられる図示しない遊技機内枠（本体枠や遊技盤から構成される部材）とから構成されるものである。各遊技機（外枠９）と対応したカウンター板６の上面部分には、それぞれ遊技機毎で獲得したパチンコ玉を計数する玉計数装置５０が設けられている。そして、この玉計数装置５０によって計数されたパチンコ玉の数値データ、及び玉貸機２によって貸し出されたパチンコ玉の数値データは、それぞれ後述する制御装置に送信されるようになっている。
【００２０】
次に、獲得玉数表示装置１０の構成について、図３乃至図１３を参照して説明する。図３は、獲得玉数表示装置１０を示す斜視図である。図４は、獲得玉数表示装置１０を示す斜視断面図である。図５は、獲得玉数表示装置１０の下側部分を示す部分斜視断面図である。図６は、獲得玉数表示装置１０における制御装置の制御処理を示すフローチャートである。図７は、玉積演出処理を示すフローチャートである。図８は、玉数比例演出処理を示すフローチャートである。図９は、待機処理を示すフローチャートである。図１０乃至図１３は、それぞれ獲得玉数表示装置１０内でのパチンコ玉の流れを説明するための縦断面図である。
【００２１】
獲得玉数表示装置１０は、図３乃至図５に示すように、縦長立方体形状の玉流下通路部１１と、該玉流下通路部１１の前面上端に設けられた玉数表示部１２と、該玉数表示部１２の下方における玉流下通路部１１の前面に所定間隔を置いて配置された３つの貯留演出表示部１３〜１５及び視認通路部１６と、各貯留演出表示部１３〜１５と視認通路部１６間にそれぞれ配置された３つの発光演出表示部１７〜１９と、当該獲得玉数表示装置１０の各種構成部材を制御する貯留演出表示制御手段としての図示しない制御装置（具体的には、ＣＰＵ、ＲＯＭ、ＲＡＭを有する制御基板からなる）と、を備えている。玉数表示部１２は、遊技継続中に遊技者が獲得しているパチンコ玉の総数（具体的には、玉計数装置５０によって計数されたパチンコ玉の総数から玉貸機２から貸し出されたパチンコ玉の総数を減算した数）を制御装置の制御に基づいて獲得玉数として数値で表示するようになっている。
【００２２】
玉流下通路部１１は、仕切壁２０を介した前側通路２１及び後側通路２２の前後二層の通路形状に形成され、後側通路２２の上端（玉数表示部１２の配置箇所の真後ろ部分）には、遊技者がパチンコ玉を獲得した際に演出用のパチンコ玉を玉流下通路部１１内に導入するための玉導入機構２３（玉導入手段）が設けられている。仕切壁２０には、前側通路２１と後側通路２２とを連通するための連通穴２４が上下方向に亘って複数穿設されており、前側通路２１の前面には、当該前側通路２１と各貯留演出表示部１３〜１５及び視認通路部１６とを連通するための連通穴２５が上下方向に亘って複数穿設されている。連通穴２４は、各貯留演出表示部１３〜１５及び視認通路部１６の各下端とほぼ同一の高さ位置、及び視認通路部１６の上端と同一の高さ位置にそれぞれ穿設されている。連通穴２５は、各貯留演出表示部１３〜１５及び視認通路部１６の上端及び下端の高さ位置にそれぞれ穿設されている。
【００２３】
なお、玉導入機構２３に送り込まれる演出用のパチンコ玉は、遊技島台１の図示しない補給経路としての補給樋から供給されるものであり、玉計数装置５０によって計数されたパチンコ玉の数値データが制御装置に送信されることに基づいて、該制御装置が数値データと対応する数（具体的には、数値データの１／１０の数）のパチンコ玉を補給樋から玉導入機構２３に供給制御するようになっている。また、以下の説明では便宜的に、貯留演出表示部１３下端の連通穴２４を連通穴２４ａといい、貯留演出表示部１４下端の連通穴２４を連通穴２４ｂといい、貯留演出表示部１５下端の連通穴２４を連通穴２４ｃといい、視認通路部１６下端の連通穴２４を連通穴２４ｄといい、視認通路部１６上端の連通穴２４を連通穴２４ｅという場合がある。
【００２４】
各貯留演出表示部１３〜１５及び視認通路部１６の上端及び下端の各連通穴２５間に位置する前側通路２１内には、当該位置でのパチンコ玉の流下を阻止する流下阻止板２６が設けられている。一方、後側通路２２の前後の内壁には、当該後側通路２２を流下するパチンコ玉の勢いを弱めるための交流板２７が交互に複数突設されている。後側通路２２における玉導入機構２３の真下位置には、玉導入機構２３から送り込まれたパチンコ玉を視認通路部１６上端の連通穴２４を通して前側通路２１に送り込むための送込板２８が設けられている。また、後側通路２２の後面下端には、獲得玉数表示装置１０からパチンコ玉を排出するための排出口２９が穿設されており、後側通路２２の下端には、最下位に位置する貯留演出表示部１３下端の連通穴２４から送り込まれたパチンコ玉及び後側通路２２を流下し終えたパチンコ玉を排出口２９に誘導する誘導底板３０が設けられている。
【００２５】
後側通路２２内には、各貯留演出表示部１３〜１５の下端の連通穴２４を個々に開閉するために３つのシャッタ３１が設けられている。シャッタ３１は、上下方向へのスライド移動によって連通穴２４を開閉するスライド板３２を備えて、各貯留演出表示部１３〜１５下端の連通穴２４の下方位置となる仕切壁２０の後面に取り付けられている。シャッタ３１の外周部分には、後側通路２２を流下するパチンコ玉からシャッタ３１を保護するための保護カバー３３が設けられている。保護カバー３３の外面は、後側通路２２を流下するパチンコ玉と干渉しないように後側通路２２の後面内壁と平行になる平坦面形状に形成されている。また、最下位に位置する貯留演出表示部１３下端の連通穴２４と対応するシャッタ３１は、誘導底板３０の下方に配置されるため、保護カバー３３は設けられない。
【００２６】
なお、以下の説明では便宜的に、貯留演出表示部１３下端の連通穴２４（２４ａ）と対応するシャッタ３１のスライド板３２をスライド板３２ａといい、貯留演出表示部１４下端の連通穴２４（２４ｂ）と対応するシャッタ３１のスライド板３２をスライド板３２ｂといい、貯留演出表示部１５下端の連通穴２４（２４ｃ）と対応するシャッタ３１のスライド板３２をスライド板３２ｃという場合がある。また、貯留演出表示部１３〜１５は、それぞれ獲得玉数を所定数の範囲毎に区分けして表示する本発明に係る演出表示部の貯留演出表示部を構成するようになっている。
【００２７】
ところで、前側通路２１の前後方向における通路幅は、パチンコ玉の直径よりも若干大きめに設定されている。このため、前側通路２１は、獲得玉数表示装置１０の前後方向で１個分のパチンコ玉を流下し得る玉通路となっている。一方、後側通路２２の前後方向における通路幅は、パチンコ玉の直径の２倍程度の大きさに設定されている。但し、後側通路２２内に設けられた交流板２７の先端面と該先端面に対向する後側通路２２の内壁との間隔、及び保護カバー３３の外面と該外面に対向する後側通路２２の内壁との間隔は、それぞれパチンコ玉の直径よりも若干大きめに設定されている。このため、後側通路２２においても、前側通路２１と同様に、獲得玉数表示装置１０の前後方向で１個分のパチンコ玉を流下し得る玉通路となっている。なお、前側通路２１及び後側通路２２の左右方向における通路幅は、それぞれパチンコ玉の直径の４倍程度の大きさに設定されており、これによって、前側通路２１及び後側通路２２は、獲得玉数表示装置１０の左右方向で４個分のパチンコ玉を一度に流下し得る玉通路となっている。また、前側通路２１及び後側通路２２は、それぞれ視認通路部１６を流下した後に余剰となったパチンコ玉を獲得玉数表示装置１０の外部に排出する本発明に係る排出通路部を構成するようになっている。さらに、各貯留演出表示部１３〜１５及び視認通路部１６間を連通する前側通路２１は、本発明に係る連通通路部を構成するようになっている。
【００２８】
各貯留演出表示部１３〜１５及び視認通路部１６は、それぞれ正面視で正方形状をなし且つ透明材料によって形成された透明カバー部材４０と、該透明カバー部材４０の内部であり且つ前側通路２１の前面に取り付けられたほぼ立方体形状の内部突起部材４１と、を備えている。透明カバー部材４０と内部突起部材４１との間には、パチンコ玉の直径よりも若干大きめの間隔となる空間４２が設けられ、当該空間４２がパチンコ玉を流下する通路を構成するようになっている。このため、各貯留演出表示部１３〜１５及び視認通路部１６においても、前側通路２１及び後側通路２２と同様に、獲得玉数表示装置１０の前後方向で１個分のパチンコ玉を流下し得る玉通路となっている。
【００２９】
なお、内部突起部材４１の上壁面は、連通穴２５を通して前側通路２１から送り込まれるパチンコ玉をスムーズに空間４２内に誘導するために後方から前方に向けて若干下り傾斜して設けられ、内部突起部材４１及び透明カバー部材４０の各下壁面は、空間４２内のパチンコ玉を連通穴２５を通してスムーズに前側通路２１に送り込むために前方から後方に向けて若干下り傾斜して設けられている。また、貯留演出表示部１３〜１５は、上記した３つのシャッタ３１による各連通穴２４の開閉に応じて、それぞれの空間４２（貯留空間）内に玉導入機構２３から送り込まれたパチンコ玉を透明カバー部材４０を透して外部から視認可能に貯留するようになっており、各貯留演出表示部１３〜１５毎に、空間４２内にパチンコ玉が満杯に貯留された状態で１０００個のパチンコ玉が獲得されていることを示すようになっている。但し、空間４２内で満杯状態となる実際のパチンコ玉の総数は、設定上の満杯数（１０００個）の１／１０となる１００個となっている。一方、視認通路部１６の空間４２は、パチンコ玉を貯留するための空間としては用いられず、玉導入機構２３から送り込まれたパチンコ玉の流れを視認させることで、遊技者に対してパチンコ玉の獲得があったことを認識させるためにのみ用いられる。
【００３０】
発光演出表示部１７〜１９は、それぞれ半円弧形状をなす４つの発光部材４３を上下方向に並設して構成されており、制御装置の制御に基づいて各発光部材４３の発光が制御されるようになっている。なお、発光演出表示部１７〜１９を構成する各発光部材４３は、それぞれ点灯状態で１０００個のパチンコ玉が獲得されていることを示すようになっており、点滅状態で１〜９９９個の範囲内のパチンコ玉が獲得されていることを示すようになっている。
【００３１】
また、獲得玉数表示装置１０には、前側通路２１内の所定箇所でパチンコ玉の有無を検出するためのセンサ４４が設けられている。センサ４４は、連通穴２４ａの上側部分、スライド板３２ｂを備えたシャッタ３１の下側部分、スライド板３２ｃを備えたシャッタ３１の下側部分、貯留演出表示部１５上端の連通穴２５と対向する部分、の計４箇所に設置されている。なお、以下の説明では便宜的に、４つのセンサ４４をセンサ１〜４という場合がある。
【００３２】
次に、獲得玉数表示装置１０における制御装置の制御処理について、図６乃至図１３を参照して説明する。先ず、制御装置は、図６に示すように、遊技中であるか否かを判別する（ステップＳ１）。なお、このとき、前述した持ち玉カードが玉貸機２に挿入された状態のときを遊技中であると判別する一方、持ち玉カードが玉貸機２に挿入されていない状態のときを遊技中でないと判別する。遊技中のときは、玉積演出処理を実行する一方（ステップＳ２）、遊技中でないときは、待機処理を実行する（ステップＳ３）。玉積演出処理では、図７に示すように、先ず、玉計数装置５０又は玉貸機２からの入力信号があるか否か、即ち遊技者によるパチンコ玉の獲得、あるいはパチンコ玉の貸し出しがあるか否かを判別する（ステップＳ１１）。入力信号がないときはそのままメインフローに復帰する一方、入力信号があると、当該入力信号となるパチンコ玉の数値データを管理制御すると共に管理制御した数値データの値（具体的には、その時点での獲得玉数）を玉数表示部１２に表示制御する獲得玉数管理・表示処理を実行する（ステップＳ１２）。具体的に、玉計数装置５０からの入力信号となるパチンコ玉の数値データに対しては、管理制御として獲得玉数に対する加算処理を行い、玉貸機２からの入力信号となるパチンコ玉の数値データに対しては、管理制御として獲得玉数に対する減算処理を行う。
【００３３】
次いで、玉数比例演出処理を実行した後に（ステップＳ１３）、入力信号に基づく演出玉払出処理を実行して（ステップＳ１４）、メインフローに復帰する。玉計数装置５０からの入力信号に基づいて演出玉払出処理を行う場合では、入力信号に基づく数（具体的には、入力信号における数値データの１／１０の数）のパチンコ玉を玉導入機構２３から玉流下通路部１１に送り込む処理を行う。一方、玉貸機２からの入力信号に基づいて演出玉払出処理を行う場合では、シャッタ３１の開放制御によって貯留演出表示部１３〜１５内のパチンコ玉を排出口２９から外部に排出することで、貯留演出表示部１３〜１５内で貯留するパチンコ玉が、玉貸機２からの入力信号に基づいた数値データを減算した獲得玉数と対応するように処理する。
【００３４】
上記したステップＳ１３の玉数比例演出処理では、図８に示すように、先ず、獲得玉数が１〜１０００個の範囲内であるか否かを判別する（ステップＳ２１）。ステップＳ２１で獲得玉数が１〜１０００個の範囲内のときは、貯留演出表示部１３下端の連通穴２４と対応するシャッタ３１（以下、これをシャッタ１という）及び貯留演出表示部１５下端の連通穴２４と対応するシャッタ３１（以下、これをシャッタ３という）を閉鎖すると共に、貯留演出表示部１４下端の連通穴２４と対応するシャッタ３１（以下、これをシャッタ２という）を開放して（ステップＳ２２）、メインフローに復帰する。一方、ステップＳ２１で獲得玉数が１〜１０００個の範囲内でないときは、次に、獲得玉数が１００１〜５０００個の範囲内であるか否かを判別する（ステップＳ２３）。ステップＳ２３で獲得玉数が１００１〜５０００個の範囲内のときは、発光演出表示部１７を構成する４つの発光部材４３（以下、この４つを下から上の順番で発光演出表示部１〜４という）を黄色で点滅・点灯表示した後（ステップＳ２４）、前記ステップＳ２２に移行する。
【００３５】
ところで、制御装置による制御処理の初期状態、言い換えれば、遊技者によるパチンコ玉の獲得がない状態では、図１０に示すように、玉導入機構２３からのパチンコ玉の送り込みは行われない。このとき、全てのシャッタ１〜３のスライド板３２（３２ａ〜３２ｃ）は進出方向にスライド移動され、貯留演出表示部１３〜１５下端の連通穴２４（２４ａ〜２４ｃ）は全て閉鎖状態にある。なお、ここでいう閉鎖状態とは、連通穴２４がスライド板３２によって完全に閉ざされた状態をいうのではなく、スライド板３２の進出方向へのスライド移動によってパチンコ玉が連通穴２４を通過できない状態を、便宜的に連通穴２４の閉鎖状態という。
【００３６】
また、獲得玉数が１〜１０００個又は１００１〜５０００個の範囲内となって前記ステップＳ２２の処理を行った場合には、図１１に示すように、シャッタ１，３のスライド板３２ａ，３２ｃは進出方向へのスライド移動が継続される一方、シャッタ２のスライド板３２ｂは退行方向にスライド移動される。これにより、連通穴２４ａ，２４ｃはそれぞれ閉鎖状態にある一方、連通穴２４ｂは開放状態になり、この状態で玉導入機構２３から獲得玉数のパチンコ玉が送り込まれる。
【００３７】
そして、玉導入機構２３から後側通路２２内に送り込まれたパチンコ玉は、送込板２８から連通穴２４ｅを通って前側通路２１に誘導された後、視認通路部１６と対応する流下阻止板２６の上壁面を伝って視認通路部１６上端の連通穴２５から視認通路部１６の空間４２内に送り込まれる。視認通路部１６の空間４２内に送り込まれたパチンコ玉は、視認通路部１６下端の連通穴２５を通って前側通路２１に誘導されて当該前側通路２１内をそのまま自然落下する。このとき、視認通路部１６の空間４２内を流下するパチンコ玉は、透明カバー部材４０を透して外部から視認可能となっている。
【００３８】
その後、パチンコ玉は、貯留演出表示部１５と対応する流下阻止板２６の上壁面に落ち、該上壁面を伝って貯留演出表示部１５上端の連通穴２５から貯留演出表示部１５の空間４２内に送り込まれる。次いで、貯留演出表示部１５の空間４２内に送り込まれたパチンコ玉は、視認通路部１６の空間４２内に送り込まれたときと同様に、透明カバー部材４０を透して外部から視認可能な状態で、貯留演出表示部１５の空間４２内を流下し、貯留演出表示部１５下端の連通穴２５を通って前側通路２１に誘導されて当該前側通路２１内をそのまま自然落下する。その後は、同様にして、貯留演出表示部１４の空間４２内、及び貯留演出表示部１３の空間４２内を順次流下する。
【００３９】
即ち、玉導入機構２３から後側通路２２内に送り込まれたパチンコ玉は、視認通路部１６の空間４２内、視認通路部１６と貯留演出表示部１５との間を連通する前側通路２１の部分、貯留演出表示部１５の空間４２内、各貯留演出表示部１５，１４間を連通する前側通路２１の部分、貯留演出表示部１４の空間４２内、各貯留演出表示部１４，１３間を連通する前側通路２１の部分、貯留演出表示部１３の空間４２内、を順次流下する。そして、貯留演出表示部１３下端の連通穴２５を通って前側通路２１に誘導されたパチンコ玉は、進出方向にスライド移動して連通穴２４ａを閉鎖するシャッタ１のスライド板３２ａによってその流下が阻止される。これにより、玉導入機構２３から送り込まれたパチンコ玉は、最下位の貯留演出表示部１３の空間４２内で貯留演出表示部１３の透明カバー部材４０を透して外部から視認可能に貯留される。
【００４０】
なお、獲得玉数が１〜１０００個の範囲内となる場合、該当する獲得玉数と対応するパチンコ玉（実際の獲得玉数の１／１０のパチンコ玉）が貯留演出表示部１３の空間４２内にそのまま貯留される。一方、獲得玉数が１００１〜５０００個の範囲内となる場合、実際には獲得玉数の１／１０のパチンコ玉が玉導入機構２３から送り込まれるが、そのうち獲得玉数１０００個目（実際には１００個目）までのパチンコ玉は、獲得玉数が１〜１０００個の範囲内のときと同様に、貯留演出表示部１３の空間４２内にそのまま貯留される。獲得玉数１００１個目（実際には１０１個目）以降のパチンコ玉は、貯留演出表示部１３と対応する流下阻止板２６の上壁面の上方空間となる前側通路２１内で連通穴２４ｂの高さ位置まで貯留され、その高さ位置以上に送り込まれたパチンコ玉は、開放状態にある連通穴２４ｂを通って後側通路２２に誘導されて誘導底板３０上に落下し、最終的に排出口２９から外部に排出される。この場合、余剰となったパチンコ玉を外部に排出する前側通路２１及び後側通路２２の通路部分は、それぞれパチンコ玉の貯留が可能な状態にある貯留演出表示部（貯留演出表示部１３）でパチンコ玉が満杯となり、且つ、パチンコ玉の貯留が不可能な状態にある貯留演出表示部（貯留演出表示部１４）に対して視認通路部１６を流下したパチンコ玉が送り込まれたときに、当該パチンコ玉を獲得玉数表示装置１０の外部に排出する。
【００４１】
また、獲得玉数が１００１〜５０００個の範囲内となる場合には、前記ステップＳ２４の処理によって発光演出表示部１〜４が黄色で点滅・点灯表示される。具体的に、獲得玉数が１００１〜２０００個の範囲内のときは、発光演出表示部１が点滅表示され、獲得玉数が２００１〜３０００個の範囲内のときは、発光演出表示部１が点灯表示されると共に発光演出表示部２が点滅表示され、獲得玉数が３００１〜４０００個の範囲内のときは、発光演出表示部１，２がそれぞれ点灯表示されると共に発光演出表示部３が点滅表示され、獲得玉数が４００１〜５０００個の範囲内のときは、発光演出表示部１〜３がそれぞれ点灯表示されると共に発光演出表示部４が点滅表示される。
【００４２】
次に、玉数比例演出処理において、上記したステップＳ２３で獲得玉数が１００１〜５０００個の範囲内でないときは、獲得玉数が５００１〜６０００個の範囲内であるか否かを判別する（ステップＳ２５）。ステップＳ２５で獲得玉数が５００１〜６０００個の範囲内のときは、発光演出表示部１〜４を全て黄色で点灯表示した後（ステップＳ２６）、各シャッタ１，２を閉鎖すると共にシャッタ３を開放して（ステップＳ２７）、メインフローに復帰する。一方、ステップＳ２５で獲得玉数が５００１〜６０００個の範囲内でないときは、次に、獲得玉数が６００１〜１００００個の範囲内であるか否かを判別する（ステップＳ２８）。ステップＳ２８で獲得玉数が６００１〜１００００個の範囲内のときは、発光演出表示部１〜４を全て黄色で点灯表示すると共に（ステップＳ２９）、発光演出表示部１８を構成する４つの発光部材４３（以下、この４つを下から上の順番で発光演出表示部５〜８という）を黄色で点滅・点灯表示して（ステップＳ３０）、前記ステップＳ２７に移行する。
【００４３】
なお、獲得玉数が５００１〜６０００個又は６００１〜１００００個の範囲内となって前記ステップＳ２７の処理を行った場合には、図１２に示すように、シャッタ１のスライド板３２ａは進出方向へのスライド移動が継続される。一方、シャッタ２のスライド板３２ｂは進出方向にスライド移動され、シャッタ３のスライド板３２ｃは退行方向にスライド移動される。これにより、連通穴２４ａ，２４ｂはそれぞれ閉鎖状態になる一方、連通穴２４ｃは開放状態になり、この状態で玉導入機構２３から獲得玉数のパチンコ玉が送り込まれる。
【００４４】
そして、玉導入機構２３から後側通路２２内に送り込まれたパチンコ玉は、前述した獲得玉数が１〜５０００個の範囲内のときの獲得玉数表示装置１０内でのパチンコ玉の流れと同様に、視認通路部１６の空間４２内、視認通路部１６と貯留演出表示部１５との間を連通する前側通路２１の部分、貯留演出表示部１５の空間４２内、各貯留演出表示部１５，１４間を連通する前側通路２１の部分、貯留演出表示部１４の空間４２内、を順次流下する。その後、貯留演出表示部１４の空間４２内を流下したパチンコ玉は、獲得玉数が１〜５０００個の範囲内のときに獲得玉数表示装置１０内に貯留されたパチンコ玉によって流下が阻止されて獲得玉数表示装置１０内に貯留される。
【００４５】
但し、連通穴２４ｂの高さ位置までパチンコ玉が貯留されていないときには、一旦、連通穴２４ｂの高さ位置となる前側通路２１内までパチンコ玉が貯留される。そして、貯留演出表示部１４の空間４２内を流下したパチンコ玉は、連通穴２４ｂの高さ位置となる前側通路２１内まで貯留されたパチンコ玉、及び進出方向にスライド移動して連通穴２４ｂを閉鎖するシャッタ２のスライド板３２ｂによってその流下が阻止され、最下位の貯留演出表示部１３の空間４２内に貯留されたパチンコ玉と同様に、貯留演出表示部１４の空間４２内で貯留演出表示部１４の透明カバー部材４０を透して外部から視認可能にパチンコ玉が貯留される。
【００４６】
これにより、獲得玉数が５００１〜６０００個の範囲内となる場合には、貯留演出表示部１３の空間４２内にパチンコ玉が満杯に貯留されると共に貯留演出表示部１４の空間４２内には該当する獲得玉数と対応するパチンコ玉が貯留される。また、このとき、前記ステップＳ２６の処理によって発光演出表示部１〜４が全て黄色で点灯表示される。
【００４７】
一方、獲得玉数が６００１〜１００００個の範囲内となる場合、獲得玉数６０００個目までのパチンコ玉は、各貯留演出表示部１３，１４の空間４２内で満杯になるように貯留される。獲得玉数６００１個目以降のパチンコ玉は、貯留演出表示部１４と対応する流下阻止板２６の上壁面の上方空間となる前側通路２１内で連通穴２４ｃの高さ位置まで貯留され、その高さ位置以上に送り込まれたパチンコ玉は、開放状態にある連通穴２４ｃを通って後側通路２２に誘導されて誘導底板３０上に落下し、最終的に排出口２９から外部に排出される。この場合、余剰となったパチンコ玉を外部に排出する前側通路２１及び後側通路２２の通路部分は、それぞれパチンコ玉の貯留が可能な状態にある貯留演出表示部（貯留演出表示部１３，１４）でパチンコ玉が満杯となり、且つ、パチンコ玉の貯留が不可能な状態にある貯留演出表示部（貯留演出表示部１５）に対して視認通路部１６を流下したパチンコ玉が送り込まれたときに、当該パチンコ玉を獲得玉数表示装置１０の外部に排出する。
【００４８】
また、獲得玉数が６００１〜１００００個の範囲内となる場合には、前記ステップＳ２９の処理によって発光演出表示部１〜４が全て黄色で点灯表示されると共に、前記ステップＳ３０の処理によって発光演出表示部５〜８が黄色で点滅・点灯表示される。発光演出表示部５〜８の具体的な点滅・点灯表示態様として、獲得玉数が６００１〜７０００個の範囲内のときは、発光演出表示部５が点滅表示され、獲得玉数が７００１〜８０００個の範囲内のときは、発光演出表示部５が点灯表示されると共に発光演出表示部６が点滅表示され、獲得玉数が８００１〜９０００個の範囲内のときは、発光演出表示部５，６がそれぞれ点灯表示されると共に発光演出表示部７が点滅表示され、獲得玉数が９００１〜１００００個の範囲内のときは、発光演出表示部５〜７がそれぞれ点灯表示されると共に発光演出表示部８が点滅表示される。
【００４９】
次に、玉数比例演出処理において、上記したステップＳ２８で獲得玉数が６００１〜１００００個の範囲内でないときは、獲得玉数が１０００１〜１１０００個の範囲内であるか否かを判別する（ステップＳ３１）。ステップＳ３１で獲得玉数が１０００１〜１１０００個の範囲内のときは、発光演出表示部５〜８を全て黄色で点灯表示した後（ステップＳ３２）、全てのシャッタ１〜３を閉鎖して（ステップＳ３３）、メインフローに復帰する。一方、ステップＳ３１で獲得玉数が１０００１〜１１０００個の範囲内でないときは、次に、獲得玉数が１１００１〜１５０００個の範囲内であるか否かを判別する（ステップＳ３４）。ステップＳ３４で獲得玉数が１１００１〜１５０００個の範囲内のときは、発光演出表示部１〜８を全て黄色で点灯表示すると共に（ステップＳ３５）、発光演出表示部１９を構成する４つの発光部材４３（以下、この４つを下から上の順番で発光演出表示部９〜１２という）を黄色で点滅・点灯表示して（ステップＳ３６）、前記ステップＳ３３に移行する。また、ステップＳ３４で獲得玉数が１１００１〜１５０００個の範囲内でないときは、各発光演出表示部１〜１２を他の演出表示に変更して（ステップＳ３７）、メインフローに復帰する。
【００５０】
なお、獲得玉数が１０００１〜１１０００個又は１１００１〜１５０００個の範囲内となって前記ステップＳ３３の処理を行った場合には、図１３に示すように、シャッタ１，２のスライド板３２ａ，３２ｂはそれぞれ進出方向へのスライド移動が継続され、シャッタ３のスライド板３２ｃは進出方向にスライド移動される。これにより、全ての連通穴２４ａ〜２４ｃは閉鎖状態になり、この状態で玉導入機構２３から獲得玉数のパチンコ玉が送り込まれる。
【００５１】
そして、玉導入機構２３から後側通路２２内に送り込まれたパチンコ玉は、前述した獲得玉数が５００１〜１００００個の範囲内のときの獲得玉数表示装置１０内でのパチンコ玉の流れと同様に、視認通路部１６の空間４２内、視認通路部１６と貯留演出表示部１５との間を連通する前側通路２１の部分、貯留演出表示部１５の空間４２内、を順次流下する。その後、貯留演出表示部１５の空間４２内を流下したパチンコ玉は、獲得玉数が１〜１００００個の範囲内のときに獲得玉数表示装置１０内に貯留されたパチンコ玉によって流下が阻止されて獲得玉数表示装置１０内に貯留される。
【００５２】
但し、連通穴２４ｃの高さ位置までパチンコ玉が貯留されていないときには、一旦、連通穴２４ｃの高さ位置となる前側通路２１内までパチンコ玉が貯留される。そして、貯留演出表示部１５の空間４２内を流下したパチンコ玉は、連通穴２４ｃの高さ位置となる前側通路２１内まで貯留されたパチンコ玉、及び進出方向にスライド移動して連通穴２４ｃを閉鎖するシャッタ３のスライド板３２ｃによってその流下が阻止され、貯留演出表示部１３，１４の空間４２内に貯留されたパチンコ玉と同様に、貯留演出表示部１５の空間４２内で貯留演出表示部１５の透明カバー部材４０を透して外部から視認可能にパチンコ玉が貯留される。
【００５３】
これにより、獲得玉数が１０００１〜１１０００個の範囲内となる場合には、各貯留演出表示部１３，１４の空間４２内にパチンコ玉が満杯に貯留されると共に貯留演出表示部１５の空間４２内には該当する獲得玉数と対応するパチンコ玉が貯留される。また、このとき、前記ステップＳ３２の処理によって発光演出表示部１〜８が全て黄色で点灯表示される。
【００５４】
一方、獲得玉数が１１００１〜１５０００個の範囲内となる場合、獲得玉数１１０００個目までのパチンコ玉は、各貯留演出表示部１３〜１５の空間４２内で満杯になるように貯留される。獲得玉数１１００１個目以降のパチンコ玉は、貯留演出表示部１５と対応する流下阻止板２６の上壁面の上方空間となる前側通路２１内で連通穴２４ｄの高さ位置まで貯留され、その高さ位置以上に送り込まれたパチンコ玉は、シャッタが設けられることなく常に開放状態にある連通穴２４ｄを通って後側通路２２に誘導されて誘導底板３０上に落下し、最終的に排出口２９から外部に排出される。この場合、余剰となったパチンコ玉を外部に排出する前側通路２１及び後側通路２２の通路部分Ｔは、それぞれ複数全ての貯留演出表示部（貯留演出表示部１３〜１５）でパチンコ玉が満杯となった状態で玉導入機構２３によりパチンコ玉が導入されたときに、当該パチンコ玉を獲得玉数表示装置１０の外部に排出する本発明に係る排出通路部を構成するようになっている。
【００５５】
また、獲得玉数が１１００１〜１５０００個の範囲内となる場合には、前記ステップＳ３５の処理によって発光演出表示部１〜８が全て黄色で点灯表示されると共に、前記ステップＳ３６の処理によって発光演出表示部９〜１２が黄色で点滅・点灯表示される。発光演出表示部９〜１２の具体的な点滅・点灯表示態様として、獲得玉数が１１００１〜１２０００個の範囲内のときは、発光演出表示部９が点滅表示され、獲得玉数が１２００１〜１３０００個の範囲内のときは、発光演出表示部９が点灯表示されると共に発光演出表示部１０が点滅表示され、獲得玉数が１３００１〜１４０００個の範囲内のときは、発光演出表示部９，１０がそれぞれ点灯表示されると共に発光演出表示部１１が点滅表示され、獲得玉数が１４００１〜１５０００個の範囲内のときは、発光演出表示部９〜１１がそれぞれ点灯表示されると共に発光演出表示部１２が点滅表示される。
【００５６】
また、獲得玉数が１５００１個以上となる場合、玉導入機構２３から送り込まれたパチンコ玉は、視認通路部１６の透明カバー部材４０を透して外部から視認可能に視認通路部１６の空間４２内を流下した後、連通穴２４ｄの高さ位置となる前側通路２１内まで貯留されたパチンコ玉によって前側通路２１内での流下が阻止される。これにより、パチンコ玉は、連通穴２４ｄを通って後側通路２２に誘導されて誘導底板３０上に落下し、最終的に排出口２９から外部に排出される。即ち、獲得玉数が１５００１個以上になると、視認通路部１６の空間４２は、前述したようにパチンコ玉を貯留するための空間として用いられることなく、玉導入機構２３から送り込まれたパチンコ玉の流れを視認させることで遊技者に対してパチンコ玉の獲得があったことを認識させるために用いられる。
【００５７】
また、獲得玉数が１５００１個以上となって前記ステップＳ３７の処理を行った場合には、各発光演出表示部１〜１２の表示制御を他の演出表示に変更する。具体的な他の演出表示態様としては、各貯留演出表示部１３〜１５の空間４２内でパチンコ玉が満杯に貯留された状態を維持したまま、全ての発光演出表示部１〜１２を一旦消灯する。そして、獲得玉数が１０００個増加する毎に発光演出表示部１〜１２のうち下側の表示部から上側の表示部に向けて順次、オレンジ色で点灯表示する。このとき、前述した黄色の点滅表示と同様に、表示制御を行う最上位の発光演出表示部をオレンジ色に点滅表示することで、１０００個毎の増加に加えて１〜９９９個の範囲内のパチンコ玉が獲得されていることを示すようになっている。また、全ての発光演出表示部１〜１２がオレンジ色で点灯表示された状態で獲得玉数の増加がある場合は、発光演出表示部１〜１２の点灯・点滅色を緑色とした態様を他の演出表示態様として実行する。なお、ステップＳ３７の処理となる他の演出表示においては、各貯留演出表示部１３〜１５の空間４２内でパチンコ玉が満杯に貯留された状態を維持した上で発光演出表示部１〜１２の点灯・点滅を行う構成としているが、この構成に限定するものではない。例えば、獲得玉数表示装置１０に貯留された全てのパチンコ玉を一旦外部に排出した後、獲得玉数の増加に基づいて玉導入機構２３から玉流下通路部１１へのパチンコ玉の送り込み処理を行い、これに伴って発光演出表示部１〜１２の点灯・点滅制御を行うようにしてもよい。
【００５８】
また、上記した制御装置による玉数比例演出処理において、複数の貯留演出表示部（貯留演出表示部１３〜１５）に対して個々にパチンコ玉の貯留が可能な状態とパチンコ玉の貯留が不可能な状態との間で移行制御するステップＳ２２，Ｓ２７，Ｓ３３の各処理は、本発明に係る貯留演出表示制御手段を構成するようになっている。
【００５９】
次に、制御装置の制御処理において、前述したステップＳ３の待機処理では、図９に示すように、先ず、獲得玉数をリセットすると共に（ステップＳ４１）、全てのシャッタ１〜３を開放して、獲得玉数表示装置１０内に貯留されたパチンコ玉を全て外部に排出する（ステップＳ４２）。次いで、全てのセンサ１〜４がＯＦＦであるか否か、言い換えれば、センサ４４が設置された前側通路２１内の４つの箇所（連通穴２４ａの上側部分、スライド板３２ｂを備えたシャッタ３１の下側部分、スライド板３２ｃを備えたシャッタ３１の下側部分、貯留演出表示部１５上端の連通穴２５と対向する部分）でのパチンコ玉の貯留がないか否かを判別する（ステップＳ４３）。ステップＳ４３で全てのセンサ１〜４がＯＦＦとなってパチンコ玉が貯留されていないことが確認できたときは、初期状態に戻すべく全てのシャッタ１〜３を閉鎖して（ステップＳ４４）、メインフローに復帰する。一方、ステップＳ４３で全てのセンサ１〜４がＯＦＦでないとき、即ち、ステップＳ４２で全てのシャッタ１〜３を開放して獲得玉数表示装置１０内からパチンコ玉を排出する処理を行ったにも拘わらず、獲得玉数表示装置１０内にパチンコ玉が残っているときには、エラー報知を行った後に（ステップＳ４５）、メインフローに復帰する。
【００６０】
なお、上記した実施形態では、視認通路部を流下させたパチンコ玉を貯留することによって所定数のパチンコ玉を獲得していることを遊技者に認識させる本発明に係る複数の貯留演出表示部に加えて、発光表示によって所定数のパチンコ玉を獲得していることを遊技者に認識させる複数の発光演出表示部を設けた構成を例示しているが、これに限らず、複数の貯留演出表示部のみで演出表示部を構成するようにしてもよい。以下、複数の貯留演出表示部のみで演出表示部を構成した獲得玉数表示装置を第二実施形態として、図１４乃至図１７を参照して説明する。なお、第二実施形態の獲得玉数表示装置が設置される遊技島台の構成は、前述した実施形態（第一実施形態）と同一であり、以下の説明では、第一実施形態と同一の遊技島台の各種構成部材については、同一の符号を付記すると共にその詳細な説明を省略するものである。
【００６１】
図１４に示すように、第二実施形態における獲得玉数表示装置６０は、縦長立方体形状の玉流下通路部６１と、該玉流下通路部６１の前面上端に設けられた玉数表示部６２と、該玉数表示部６２の下方における玉流下通路部６１の前面で上下方向に並設された３つの貯留演出表示部６３〜６５及び視認通路部６６と、当該獲得玉数表示装置６０の各種構成部材を制御する表示制御手段としての図示しない制御装置（具体的には、ＣＰＵ、ＲＯＭ、ＲＡＭを有する制御基板からなる）と、を備えている。玉数表示部６２は、遊技継続中に遊技者が獲得しているパチンコ玉の総数（具体的には、玉計数装置５０によって計数されたパチンコ玉の総数から玉貸機２から貸し出されたパチンコ玉の総数を減算した数）を制御装置の制御に基づいて獲得玉数として数値で表示するようになっている。
【００６２】
玉流下通路部６１は、仕切壁７０を介した前側通路７１及び後側通路７２の前後二層の通路形状に形成され、後側通路７２の上端（玉数表示部６２の配置箇所の真後ろ部分）には、遊技者がパチンコ玉を獲得した際に演出用のパチンコ玉を玉流下通路部６１内に導入するための玉導入機構７３（玉導入手段）が設けられている。仕切壁７０には、前側通路７１と後側通路７２とを連通するための連通穴７４が上下方向に亘って複数穿設されており、前側通路７１の前面には、当該前側通路７１と各貯留演出表示部６３〜６５及び視認通路部６６とを連通するための連通穴７５が上下方向に亘って複数穿設されている。連通穴７４は、貯留演出表示部６３及び視認通路部６６の各下端とほぼ同一の高さ位置、及び視認通路部６６の上端と同一の高さ位置にそれぞれ穿設されている。連通穴７５は、各貯留演出表示部６３〜６５及び視認通路部６６の上端及び下端の高さ位置にそれぞれ穿設されている。
【００６３】
なお、玉導入機構７３に送り込まれる演出用のパチンコ玉は、遊技島台１の図示しない補給樋から供給されるものであり、玉計数装置５０によって計数されたパチンコ玉の数値データが制御装置に送信されることに基づいて、該制御装置が数値データと対応する数（具体的には、数値データの１／１０の数）のパチンコ玉を補給樋から玉導入機構７３に供給制御するようになっている。また、以下の説明では便宜的に、貯留演出表示部６３下端の連通穴７４を連通穴７４ａといい、視認通路部６６下端の連通穴７４を連通穴７４ｂといい、視認通路部６６上端の連通穴７４を連通穴７４ｃという場合がある。
【００６４】
各貯留演出表示部６３〜６５及び視認通路部６６の上端及び下端の各連通穴７５間に位置する前側通路７１内には、当該位置でのパチンコ玉の流下を阻止する流下阻止板７６が設けられている。一方、後側通路７２の前後の内壁には、当該後側通路７２を流下するパチンコ玉の勢いを弱めるための交流板７７が交互に複数突設されている。後側通路７２における玉導入機構７３の真下位置には、玉導入機構７３から送り込まれたパチンコ玉を視認通路部６６上端の連通穴７４を通して前側通路７１に送り込むための送込板７８が設けられている。また、後側通路７２の後面下端には、獲得玉数表示装置６０からパチンコ玉を排出するための排出口７９が穿設されており、後側通路７２の下端には、最下位に位置する貯留演出表示部６３下端の連通穴７４から送り込まれたパチンコ玉及び後側通路７２を流下し終えたパチンコ玉を排出口７９に誘導する誘導底板８０が設けられている。
【００６５】
後側通路７２内には、各貯留演出表示部６３，６６の下端の連通穴７４を個々に開閉するために２つのシャッタ８１が設けられている。シャッタ８１は、上下方向へのスライド移動によって連通穴７４を開閉するスライド板８２を備えて、各貯留演出表示部６３〜６５下端の連通穴７４の下方位置となる仕切壁７０の後面に取り付けられている。視認通路部６６下端の連通穴７４と対応するシャッタ８１の外周部分には、後側通路７２を流下するパチンコ玉からシャッタ８１を保護するための保護カバー８３が設けられている。保護カバー８３の外面は、後側通路７２を流下するパチンコ玉と干渉しないように後側通路７２の後面内壁と平行になる平坦面形状に形成されている。また、最下位に位置する貯留演出表示部６３下端の連通穴７４と対応するシャッタ８１は、誘導底板８０の下方に配置されるため、保護カバー８３は設けられない。
【００６６】
なお、以下の説明では便宜的に、貯留演出表示部６３下端の連通穴７４（７４ａ）と対応するシャッタ８１のスライド板８２をスライド板８２ａといい、視認通路部６６下端の連通穴７４（７４ｂ）と対応するシャッタ８１のスライド板８２をスライド板８２ｂという場合がある。また、貯留演出表示部６３〜６５は、それぞれ獲得玉数を所定数の範囲毎に区分けして表示する本発明に係る演出表示部の貯留演出表示部を構成するようになっている。
【００６７】
ところで、前側通路７１の前後方向における通路幅は、パチンコ玉の直径よりも若干大きめに設定されている。このため、前側通路７１は、獲得玉数表示装置６０の前後方向で１個分のパチンコ玉を流下し得る玉通路となっている。一方、後側通路７２の前後方向における通路幅は、パチンコ玉の直径の２倍程度の大きさに設定されている。但し、後側通路７２内に設けられた交流板７７の先端面と該先端面に対向する後側通路７２の内壁との間隔、及び保護カバー８３の外面と該外面に対向する後側通路７２の内壁との間隔は、それぞれパチンコ玉の直径よりも若干大きめに設定されている。このため、後側通路７２においても、前側通路７１と同様に、獲得玉数表示装置６０の前後方向で１個分のパチンコ玉を流下し得る玉通路となっている。なお、前側通路７１及び後側通路７２の左右方向における通路幅は、それぞれパチンコ玉の直径の４倍程度の大きさに設定されており、これによって、前側通路７１及び後側通路７２は、獲得玉数表示装置６０の左右方向で４個分のパチンコ玉を一度に流下し得る玉通路となっている。また、前側通路７１及び後側通路７２は、それぞれ視認通路部６６を流下した後に余剰となったパチンコ玉を獲得玉数表示装置６０の外部に排出する本発明に係る排出通路部を構成するようになっている。さらに、各貯留演出表示部６３〜６５及び視認通路部６６間を連通する前側通路７１は、本発明に係る連通通路部を構成するようになっている。
【００６８】
各貯留演出表示部６３〜６５及び視認通路部６６は、それぞれ透明材料によって形成された透明カバー部材９０と、該透明カバー部材９０の内部であり且つ前側通路７１の前面に取り付けられた内部突起部材９１と、を備えている。透明カバー部材９０と内部突起部材９１との間には、パチンコ玉の流下通路を構成するための空間９２が設けられている。なお、視認通路部６６を構成する透明カバー部材９０は、正面視で正方形状をなし、視認通路部６６を構成する内部突起部材９１は、透明カバー部材９０との間でパチンコ玉の直径よりも若干大きめの間隔となる空間９２を形成するようにほぼ立方体形状に形成されている。このため、視認通路部６６においては、獲得玉数表示装置６０の前後方向で１個分のパチンコ玉を流下し得る玉通路となっている。
【００６９】
これに対して、貯留演出表示部６３〜６５を構成する透明カバー部材９０は、正面視で縦長（正方形状をなす視認通路部６６の透明カバー部材９０の縦幅寸法のほぼ３倍の長さ寸法）の長方形状をなし、貯留演出表示部６３〜６５を構成する内部突起部材９１は、立方体形状をなす視認通路部６６の内部突起部材９１のほぼ半分の高さ寸法に形成されて、透明カバー部材９０の下面壁との間でパチンコ玉の直径よりも若干大きめの間隔となる位置に配置されている。このため、貯留演出表示部６３〜６５においては、その上側部分が当該貯留演出表示部６３〜６５後方の前側通路７１を含んで多量のパチンコ玉を貯留し得る空間に形成され、下側部分が獲得玉数表示装置６０の前後方向で１個分のパチンコ玉を流下し得る玉通路の形成空間となっている。
【００７０】
しかして、第二実施形態の獲得玉数表示装置６０では、制御装置による制御処理の初期状態、即ち、遊技者によるパチンコ玉の獲得がない状態で、図１５に示すように、玉導入機構７３からのパチンコ玉の送り込みは行われない。このとき、貯留演出表示部６３，６６と対応するシャッタ８１のスライド板８２（８２ａ，８２ｂ）はそれぞれ進出方向にスライド移動され、貯留演出表示部６３，６６下端の連通穴７４（７４ａ，７４ｂ）は閉鎖状態にある。そして、遊技者によるパチンコ玉の獲得があると、図１６に示すように、玉導入機構７３から獲得玉数のパチンコ玉が送り込まれる。これにより、玉導入機構７３から後側通路７２内に送り込まれたパチンコ玉は、送込板７８から連通穴７４ｃを通って前側通路７１に誘導された後、視認通路部６６と対応する流下阻止板７６の上壁面を伝って視認通路部６６上端の連通穴７５から視認通路部６６の空間９２内に送り込まれる。視認通路部６６の空間９２内に送り込まれたパチンコ玉は、視認通路部６６下端の連通穴７５を通って前側通路７１に誘導されることで貯留演出表示部６５の空間９２内に送り込まれる。貯留演出表示部６５内に送り込まれたパチンコ玉は、貯留演出表示部６５と対応する流下阻止板７６の上壁面に落ちた後、貯留演出表示部６５下端の連通穴７５を通って前側通路７１に誘導されることで貯留演出表示部６５の空間９２内に送り込まれる。その後は、同様にして、貯留演出表示部６４の空間９２内、及び貯留演出表示部６３の空間９２内を順次流下する。
【００７１】
即ち、玉導入機構７３から後側通路７２内に送り込まれたパチンコ玉は、視認通路部６６の空間９２内（視認通路部６６後方の前側通路７１の部分を含む）、貯留演出表示部６５の空間９２内（貯留演出表示部６５後方の前側通路７１の部分を含む）、貯留演出表示部６４の空間９２内（貯留演出表示部６４後方の前側通路７１の部分を含む）、貯留演出表示部６３の空間９２内（貯留演出表示部６３後方の前側通路７１の部分を含む）、を順次流下する。そして、貯留演出表示部６３下端の連通穴２５を通って前側通路７１に誘導されたパチンコ玉は、進出方向にスライド移動して連通穴７４ａを閉鎖するシャッタ８１のスライド板８２ａによってその流下が阻止される。これにより、玉導入機構７３から送り込まれたパチンコ玉は、最下位の貯留演出表示部６３の空間９２内で貯留演出表示部６３の透明カバー部材９０を透して外部から視認可能に貯留される。
【００７２】
なお、貯留演出表示部６３〜６５の空間９２内には、それぞれ５００個のパチンコ玉が満杯状態で貯留可能となっており、前述したように制御装置が数値データと対応する数（具体的には、数値データの１／１０の数）のパチンコ玉を玉導入機構７３に供給制御することから、貯留演出表示部６３の空間９２内にパチンコ玉が満杯となったときには、５０００個のパチンコ玉を獲得したことを遊技者に認識させる。その後、遊技者によるパチンコ玉の獲得総数が１００００個、１５０００個と増加するにつれて、貯留演出表示部６３に加えて貯留演出表示部６４、貯留演出表示部６５が順次パチンコ玉の満杯状態となる。これにより、貯留演出表示部６３〜６５の空間９２内でのパチンコ玉の貯留状態によって遊技者に対してパチンコ玉の獲得総数を認識させるようになっている。
【００７３】
そして、パチンコ玉の獲得総数が１５０００個を超える場合には、図１７に示すように、貯留演出表示部６３と対応するシャッタ８１のスライド板８２（８２ａ）は進出方向へのスライド移動が継続され、貯留演出表示部６３下端の連通穴７４（７４ａ）は閉鎖状態を継続する。一方、視認通路部６６と対応するシャッタ８１のスライド板８２（８２ｂ）は退行方向にスライド移動され、視認通路部６６下端の連通穴７４（７４ｂ）は開放状態になり、この状態で玉導入機構７３から獲得玉数のパチンコ玉が送り込まれる。
【００７４】
玉導入機構７３から送り込まれたパチンコ玉は、視認通路部６６の透明カバー部材９０を透して外部から視認可能に視認通路部６６の空間９２内を流下した後、連通穴７４ｂの高さ位置となる前側通路７１内まで貯留されたパチンコ玉によって前側通路７１内での流下（視認通路部６６から貯留演出表示部６５への送り込み）が阻止される。これにより、パチンコ玉は、連通穴７４ｂを通って後側通路７２に誘導されて誘導底板８０上に落下し、最終的に排出口７９から外部に排出される。即ち、獲得玉数が１５００１個以上になると、視認通路部６６の空間９２は、パチンコ玉を貯留するための空間として用いられることなく、玉導入機構７３から送り込まれたパチンコ玉の流れを視認させることで遊技者に対してパチンコ玉の獲得があったことを認識させるために用いられる。
【００７５】
ところで、以上説明した第二実施形態の獲得玉数表示装置６０では、視認通路部６６下端の連通穴７４（７４ｂ）を開閉するためのシャッタ８１を設けているが、必ずしも連通穴７４ｂを開閉するためのシャッタ８１を設ける必要はない。例えば、図１８に示す変形例の獲得玉数表示装置６０’のように、最下位に位置する貯留演出表示部６３下端の連通穴７４（７４ａ）を開閉するためのシャッタ８１は設けるものの、視認通路部６６下端の連通穴７４（７４ｂ）に対しては、シャッタ８１を設けないようにしてもよい。但し、このような構成においては、視認通路部６６内の空間９２には、内部突起部材９１を設けることなく、然も、視認通路部６６と貯留演出表示部６５との境目に位置する連通穴７５’の前端を透明カバー部材９０の前面側に近い位置まで広げることで、視認通路部６６の空間９２内のパチンコ玉が前側通路７１側に送り込まれることなく、そのまま下方に落下して貯留演出表示部６５に送り込まれるようにする必要がある。
【００７６】
これにより、遊技者によるパチンコ玉の獲得があると、玉導入機構７３から獲得玉数のパチンコ玉が送り込まれ、当該パチンコ玉は、送込板７８から連通穴７４ｃを通って前側通路７１に誘導された後、視認通路部６６と対応する流下阻止板７６の上壁面を伝って視認通路部６６上端の連通穴７５から視認通路部６６の空間９２内に送り込まれる。そして、視認通路部６６の空間９２内に送り込まれたパチンコ玉は、前側通路７１側に送り込まれることなく、そのまま下方に落下して貯留演出表示部６５に送り込まれる。このため、貯留演出表示部６５の空間９２内にパチンコ玉が満杯状態で貯留されていないときには、視認通路部６６の空間９２内を流下するパチンコ玉は、前側通路７１から連通穴７４ｂを通って後側通路７２側に誘導されることはない。これに対して、貯留演出表示部６３〜６５の各空間９２内にパチンコ玉が満杯状態で貯留されたときには、連通穴７４ｂの高さ位置まで貯留されたパチンコ玉によって視認通路部６６から貯留演出表示部６５へのパチンコ玉の送り込みが阻止される。これにより、パチンコ玉は、連通穴７４ｂを通って後側通路７２に誘導されて誘導底板８０上に落下し、最終的に排出口７９から外部に排出される。
【００７７】
また、以上説明した実施形態では、貯留演出表示部６３〜６５の空間９２内に設けられる内部突起部材９０を、視認通路部６６の空間９２内に設けられる内部突起部材９０のほぼ半分の大きさとしているが、この構成に限定するものではない。例えば、遊技島台１に列設される遊技機の各種タイプ（大当り確率がほぼ１／４００となるＭＡＸタイプや、ほぼ１／１００となる甘デジタイプ等）に応じて内部突起部材９０のサイズを変更可能とすることで、貯留演出表示部６３〜６５の空間９２内に貯留されるパチンコ玉の貯留量が変更できるようにしてもよい。
【００７８】
また、以上説明した第一及び第二の各実施形態では、獲得玉数表示装置で使用するパチンコ玉を遊技島台の補給樋から玉導入機構を介して受け入れ、貯留演出表示部に貯留されることなく余剰となったパチンコ玉を排出口から獲得玉数表示装置の外部に排出する構成を例示しているが、これに限らず、獲得玉数表示装置内でパチンコ玉を循環使用する構成としてもよい。以下、装置内でパチンコ玉を循環使用する獲得玉数表示装置を第三実施形態として、図１９乃至図２４を参照して説明する。図１９は、獲得玉数表示装置１００を示す斜視断面図である。図２０乃至図２４は、それぞれ獲得玉数表示装置１００内でのパチンコ玉の流れを説明するための縦断面図である。
【００７９】
図１９及び図２０に示すように、第三実施形態における獲得玉数表示装置１００は、縦長立方体形状の玉流下通路部１０１と、該玉流下通路部１０１の前面上端に設けられた玉数表示部１０２と、該玉数表示部１０２の下方における玉流下通路部１０１の前面に所定間隔を置いて配置された３つの貯留演出表示部１０３〜１０５（演出表示部）及び視認通路部１０６と、当該獲得玉数表示装置１００の各種構成部材を制御する貯留演出表示制御手段としての図示しない制御装置（具体的には、ＣＰＵ、ＲＯＭ、ＲＡＭを有する制御基板からなる）と、獲得玉数表示装置１００内で循環使用するパチンコ玉を待機貯留する待機貯留部１４０と、該待機貯留部１４０に貯留されたパチンコ玉及び後述の回収通路部を流下したパチンコ玉を揚送する玉揚送手段としての玉揚送機構１５０と、該玉揚送機構１５０によって揚送されたパチンコ玉を視認通路部１０６又は待機貯留部１４０のいずれかに振り分けて送り込む玉振分手段としての玉振分機構１６０と、を備えている。玉数表示部１０２は、遊技継続中に遊技者が獲得しているパチンコ玉の総数（具体的には、玉計数装置５０によって計数されたパチンコ玉の総数から玉貸機２から貸し出されたパチンコ玉の総数を減算した数）を制御装置の制御に基づいて獲得玉数として数値で表示するようになっている。
【００８０】
玉流下通路部１０１の後面壁であり且つ待機貯留部１４０との仕切りとなる仕切壁１１０には、玉流下通路部１０１と待機貯留部１４０とを連通するための連通穴１１４が上下方向に亘って複数穿設されており、玉流下通路部１０１の前面には、当該玉流下通路部１０１と各貯留演出表示部１０３〜１０５及び視認通路部１０６とを連通するための連通穴１１５が上下方向に亘って複数穿設されている。連通穴１１４は、貯留演出表示部１０３及び視認通路部１０６の各下端とほぼ同一の高さ位置、及び視認通路部１０６の上端と同一の高さ位置にそれぞれ穿設されている。連通穴１０５は、各貯留演出表示部６３〜６５及び視認通路部６６の上端及び下端の高さ位置にそれぞれ穿設されている。
【００８１】
なお、視認通路部１０６の上端と同一の高さ位置に穿設された連通穴１１４は、遊技者がパチンコ玉を獲得した際に演出用のパチンコ玉を玉振分機構１６０の視認導入部１６３から受け入れる玉受入口を構成するものである。視認導入部１６３は、玉揚送機構１５０によって揚送されたパチンコ玉を視認通路部１０６側に振り分けて送り込む一方の玉振分部分を構成するものであり、玉計数装置５０によって計数されたパチンコ玉の数値データが制御装置に送信されることに基づいて、該制御装置が数値データと対応する数（具体的には、数値データの１／１０の数）のパチンコ玉を玉揚送機構１５０で揚送制御すると共に、当該玉数のパチンコ玉を玉振分機構１６０で視認導入部１６３側に振り分け制御することで、演出用のパチンコ玉を視認導入部１６３に送り込むようになっている。また、視認通路部１０６の下端と同一の高さ位置に穿設された連通穴１１４は、視認通路部１０６を流下した後に余剰となったパチンコ玉を待機貯留部１４０に回収するための玉回収口を構成するものである。なお、以下の説明では便宜的に、貯留演出表示部１０３下端の連通穴１１４を連通穴１１４ａといい、視認通路部１０６下端の連通穴１１４を連通穴１１４ｂといい、視認通路部１０６上端の連通穴１１４を連通穴１１４ｃという場合がある。
【００８２】
各貯留演出表示部１０３〜１０５及び視認通路部１０６の上端及び下端の各連通穴１１５間に位置する玉流下通路部１０１内には、当該位置でのパチンコ玉の流下を阻止する流下阻止板１１６が設けられている。なお、貯留演出表示部１０３の下端と同一の高さ位置に穿設された連通穴１１４ａは、貯留演出表示部１０３〜１０５に貯留されることなく余剰となったパチンコ玉を玉揚送機構１５０に送り込むための送込口を構成するようになっている。また、連通穴１１４ａには、当該連通穴１１４ａを開閉するためのシャッタ１２１が設けられており、シャッタ１２１は、上下方向へのスライド移動によって連通穴１１４ａを開閉するスライド板１２２を備えている。
【００８３】
ところで、玉流下通路部１０１の前後方向における通路幅は、パチンコ玉の直径よりも若干大きめに設定されている。このため、玉流下通路部１０１は、獲得玉数表示装置１００の前後方向で１個分のパチンコ玉を流下し得る玉通路となっている。また、玉流下通路部１０１の左右方向における通路幅は、パチンコ玉の直径の４倍程度の大きさに設定されており、これによって、玉流下通路部１０１は、獲得玉数表示装置１００の左右方向で４個分のパチンコ玉を一度に流下し得る玉通路となっている。また、玉流下通路部１０１は、視認通路部１０６を流下した後に余剰となったパチンコ玉を回収する本発明に係る回収通路部を構成するようになっている。
【００８４】
各貯留演出表示部１０３〜１０５及び視認通路部１０６は、それぞれ透明材料によって形成された透明カバー部材１３０と、該透明カバー部材１３０の内部であり且つ玉流下通路部１０１の前面に取り付けられた内部突起部材１３１と、を備えている。透明カバー部材１３０と内部突起部材１３１との間には、パチンコ玉の直径よりも若干大きめの間隔となる空間１３２が設けられている。なお、視認通路部１０６を構成する透明カバー部材１３０は、正面視で正方形状をなし、視認通路部１０６に内部突起部材１３１は設けられない。これに対して、貯留演出表示部１０３〜１０５を構成する透明カバー部材１３０は、正面視で縦長（正方形状をなす視認通路部１０６の透明カバー部材１３０の縦幅寸法のほぼ３倍の長さ寸法）の長方形状をなしている。そして、貯留演出表示部１０３〜１０５においては、内部突起部材１３１の上側部分が当該貯留演出表示部１０３〜１０５後方の玉流下通路部１０１を含んで多量のパチンコ玉を貯留し得る空間に形成され、内部突起部材１３１の下側部分が獲得玉数表示装置１００の前後方向で１個分のパチンコ玉を流下し得る玉通路の形成空間となっている。
【００８５】
なお、内部突起部材１３１の上壁面は、連通穴１１５を通して前側通路１１１から送り込まれるパチンコ玉をスムーズに空間１３２内に誘導するために後方から前方に向けて若干下り傾斜して設けられ、内部突起部材１３１及び透明カバー部材１３０の各下壁面は、空間１３２内のパチンコ玉を連通穴１１５を通してスムーズに玉流下通路部１０１に送り込むために前方から後方に向けて若干下り傾斜して設けられている。また、貯留演出表示部１０３〜１０５は、上記したシャッタ１２１による連通穴１１４ａの開閉に応じて、それぞれの空間１３２（貯留空間）内に視認導入部１６３から送り込まれたパチンコ玉を透明カバー部材１３０を透して外部から視認可能に貯留するようになっており、各貯留演出表示部１０３〜１０５毎に、空間１３２内にパチンコ玉が満杯に貯留された状態で５０００個のパチンコ玉が獲得されていることを示すようになっている。但し、空間１３２内で満杯状態となる実際のパチンコ玉の総数は、設定上の満杯数（５０００個）の１／１０となる５００個となっている。一方、視認通路部１０６の空間１３２は、パチンコ玉を貯留するための空間としては用いられず、視認導入部１６３から送り込まれたパチンコ玉の流れを視認させることで、遊技者に対してパチンコ玉の獲得があったことを認識させるためにのみ用いられる。
【００８６】
待機貯留部１４０は、前述した玉流下通路部１０１の後面壁をなす仕切壁１１０と、該仕切壁１１０の裏面側に配置された後面壁１４２との間に形成された空間によって構成されている。待機貯留部１４０の内壁（仕切壁１１０及び後面壁１４２）には、当該待機貯留部１４０を流下するパチンコ玉の勢いを弱めるための交流板１４６が交互に複数突設されている。また、待機貯留部１４０の上側には、玉振分機構１６０の視認導入部１６３に振り分けられたパチンコ玉を視認通路部１０６側となる連通穴１１４ｃに誘導するための視認誘導板１４３と、玉振分機構１６０の待機導入部１６４に振り分けられたパチンコ玉を待機貯留部１４０内に誘導するための待機誘導板１４４と、が設けられている。一方、待機貯留部１４０の下側には、当該待機貯留部１４０からパチンコ玉を下方に排出するための排出口１４１が設けられ、この排出口１４１には、当該排出口１４１を開閉するスライド板１４８を備えたシャッタ１４７が設けられている。なお、待機貯留部１４０の排出口１４１から下方に排出されたパチンコ玉は、待機貯留部１４０の下方空間に配置される後述の玉揚送機構１５０の揚送スプロケット１５１に送り込まれるようになっている。また、待機貯留部１４０の下方には、排出口１４１から排出されたパチンコ玉を玉揚送機構１５０に誘導するための誘導底板１２０が設けられており、誘導底板１２０には、該誘導底板８０上を流下して玉揚送機構１５０に送り込まれたパチンコ玉を検出するためのセンサ１２０ａが設けられている。そして、このセンサ１２０ａによるパチンコ玉の検出に基づいて、玉揚送機構１５０によるパチンコ玉の揚送（駆動モータによる揚送スプロケット１５１の回転駆動）及び玉振分機構１６０によるパチンコ玉の振り分け（駆動モータによる振分スプロケット１６１の回転駆動）を制御するようになっている。
【００８７】
玉揚送機構１５０は、待機貯留部１４０の下方であり且つ前述した連通１１４ａと連通した空間内に設けられた揚送スプロケット１５１と、該揚送スプロケット１５１を一方向（図２０に示す反時計方向）に回転駆動する図示しない駆動モータと、後面壁１４２の裏面側に設けられてパチンコ玉を玉振分機構１６０に誘導する揚送通路部１５２と、を備えている。揚送スプロケット１５１は、パチンコ玉１個を個々に受け入れ可能な玉受け凹部１５１ａが全周に亘って形成されており、駆動モータの駆動に基づく玉受け凹部１５１ａの回転によって、待機貯留部１４０の排出口１４１から排出されたパチンコ玉及び連通１１４ａから送り込まれたパチンコ玉を１個ずつ押し上げるようになっている。また、揚送通路部１５２は、揚送スプロケット１５１によって押し上げられたパチンコ玉を１個ずつ整列して上方の玉振分機構１６０に送り込む通路形状に形成されている。
【００８８】
玉振分機構１６０は、待機貯留部１４０の上側空間に配置された振分スプロケット１６１と、該振分スプロケット１６１を正逆両方向（図２０に示す反時計方向及び時計方向）に回転駆動する図示しない駆動モータと、玉揚送機構１５０の揚送通路部１５２から送り込まれたパチンコ玉を上方から振分スプロケット１６１に誘導する誘導通路部１６２と、振分スプロケット１６１によって振り分けられたパチンコ玉を視認通路部１０６側に誘導する視認導入部１６３と、振分スプロケット１６１によって振り分けられたパチンコ玉を待機貯留部１４０内に誘導する待機導入部１６４と、を備えている。振分スプロケット１６１は、パチンコ玉１個を個々に受け入れ可能な玉受け凹部１６１ａが全周に亘って形成されている。そして、駆動モータの駆動に基づく振分スプロケット１６１の正方向（図２０に示す反時計方向）の回転により、玉受け凹部１６１ａのパチンコ玉を視認導入部１６３から視認通路部１０６側に振り分けて送り込む一方、駆動モータの駆動に基づく振分スプロケット１６１の逆方向（図２０に示す時計方向）の回転により、玉受け凹部１６１ａのパチンコ玉を待機導入部１６４から待機貯留部１４０側に振り分けて送り込むようになっている。
【００８９】
しかして、第三実施形態の獲得玉数表示装置１００では、制御装置による制御処理の初期状態、即ち、遊技者によるパチンコ玉の獲得がない状態で、図２０に示すように、視認導入部１６３からのパチンコ玉の送り込みは行われない。言い換えれば、玉揚送機構１５０（揚送スプロケット１５１の回転）によるパチンコ玉の揚送、及び玉振分機構１６０（振分スプロケット１６１の回転）によるパチンコ玉の振り分けは行われない。このとき、連通穴１１４ａに設けられたシャッタ１２１のスライド板１２２は進出方向にスライド移動され、連通穴１１４ａは閉鎖状態にある。また、このとき、待機貯留部１４０に設けられたシャッタ１４７のスライド板１４８は進出方向にスライド移動されて、待機貯留部１４０下端の排出口１４１は閉鎖状態にあり、待機貯留部１４０には、獲得玉数表示装置１００内で循環使用する全てのパチンコ玉（厳密には、玉揚送機構１５０の揚送通路部１５２内に待機された一部のパチンコ玉を除く）が貯留された状態にある。
【００９０】
そして、遊技者によるパチンコ玉の獲得があると、待機貯留部１４０に設けられたシャッタ１４７のスライド板１４８は退行方向にスライド移動されて、待機貯留部１４０下端の排出口１４１が開放される。これにより、待機貯留部１４０内のパチンコ玉が排出口１４１から誘導底板１２０上に排出されて玉揚送機構１５０に送り込まれる。また、これに伴って、玉揚送機構１５０（揚送スプロケット１５１の回転）によるパチンコ玉の揚送、及び玉振分機構１６０（振分スプロケット１６１の回転）によるパチンコ玉の視認導入部１６３側への振り分けが行われる。即ち、視認導入部１６３から獲得玉数のパチンコ玉が送り込まれる。これにより、視認導入部１６３から送り込まれたパチンコ玉は、視認誘導板１４３から連通穴１１４ｅを通って玉流下通路部１０１に誘導された後、視認通路部１０６と対応する流下阻止板１１６の上壁面を伝って視認通路部１０６上端の連通穴１１５から視認通路部１０６の空間１３２内に送り込まれる。視認通路部１０６の空間１３２内に送り込まれたパチンコ玉は、視認通路部１０６下端の連通穴１１５を通って玉流下通路部１０１に誘導されることで貯留演出表示部１０５の空間１３２内に送り込まれる。貯留演出表示部１０５内に送り込まれたパチンコ玉は、貯留演出表示部１０５と対応する流下阻止板１１６の上壁面に落ちた後、貯留演出表示部１０５下端の連通穴１１５を通って玉流下通路部１０１に誘導されることで貯留演出表示部１０４の空間１３２内に送り込まれる。その後は、同様にして、貯留演出表示部１０４の空間１３２内、及び貯留演出表示部１０３の空間１３２内を順次流下する。
【００９１】
即ち、視認導入部１６３から玉流下通路部１０１内に送り込まれたパチンコ玉は、視認通路部１０６の空間１３２内（視認通路部１０６後方の玉流下通路部１０１の部分を含む）、貯留演出表示部１０５の空間１３２内（貯留演出表示部１０５後方の玉流下通路部１０１の部分を含む）、貯留演出表示部１０４の空間１３２内（貯留演出表示部１０４後方の玉流下通路部１０１の部分を含む）、貯留演出表示部１０３の空間１３２内（貯留演出表示部１０３後方の玉流下通路部１０１の部分を含む）、を順次流下する。そして、貯留演出表示部１０３下端の連通穴１１５を通って玉流下通路部１０１に誘導されたパチンコ玉は、進出方向にスライド移動して連通穴１１４ａを閉鎖するシャッタ１２１のスライド板１２２によってその流下が阻止される。これにより、視認導入部１６３から送り込まれたパチンコ玉は、最下位の貯留演出表示部１０３の空間１３２内で貯留演出表示部１０３の透明カバー部材１３０を透して外部から視認可能に貯留される。なお、貯留演出表示部１０３〜１０５の空間１３２内には、それぞれ５００個のパチンコ玉が満杯状態で貯留可能となっており、制御装置が数値データと対応する数（具体的には、数値データの１／１０の数）のパチンコ玉を視認導入部１６３に供給制御することから、貯留演出表示部１０３の空間１３２内にパチンコ玉が満杯となったときには、５０００個のパチンコ玉を獲得したことを遊技者に認識させる。
【００９２】
そして、獲得玉数が１〜５０００個の範囲内となる場合には、図２１に示すように、該当する獲得玉数と対応するパチンコ玉（実際の獲得玉数の１／１０のパチンコ玉）が貯留演出表示部１０３の空間１３２内にそのまま貯留される。また、獲得玉数が５００１〜１００００個の範囲内となる場合には、図２２に示すように、該当する獲得玉数と対応するパチンコ玉（実際の獲得玉数の１／１０のパチンコ玉）が貯留演出表示部１０３，１０４の各空間１３２内にそのまま貯留される。また、獲得玉数が１０００１〜１５０００個の範囲内となる場合には、図２３に示すように、該当する獲得玉数と対応するパチンコ玉（実際の獲得玉数の１／１０のパチンコ玉）が貯留演出表示部１０３〜１０４の各空間１３２内にそのまま貯留される。
【００９３】
また、獲得玉数が１５００１個以上となる場合、玉振分機構１６０から送り込まれたパチンコ玉は、視認通路部１０６の透明カバー部材１３０を透して外部から視認可能に視認通路部１０６の空間１３２内を流下した後、連通穴１１４ｂの高さ位置となる玉流下通路部１０１内まで貯留されたパチンコ玉によって玉流下通路部１０１内での流下が阻止される。これにより、パチンコ玉は、連通穴１１４ｂを通って待機貯留部１４０に回収玉として誘導される。即ち、獲得玉数が１５００１個以上になると、視認通路部１０６の空間１３２は、パチンコ玉を貯留するための空間として用いられることなく、玉振分機構１６０から送り込まれたパチンコ玉の流れを視認させることで遊技者に対してパチンコ玉の獲得があったことを認識させるために用いられる。この場合、余剰となったパチンコ玉を回収する玉流下通路部１０１の通路部分Ｔ’は、複数全ての貯留演出表示部（貯留演出表示部１０３〜１０５）でパチンコ玉が満杯となった状態で玉振分機構１６０によりパチンコ玉が送り込まれたときに、当該パチンコ玉を獲得玉数表示装置１００内で回収する本発明に係る回収通路部を構成するようになっている。
【００９４】
また、遊技者が遊技を終了することで獲得玉数表示装置１００を初期状態に戻す場合、あるいは、玉貸機２によって獲得玉からパチンコ玉の貸し出しを行う場合には、図２４に示すように、シャッタ１２１のスライド板１２２が退行方向にスライド移動され、連通穴１１４ａは開放状態となる。これにより、貯留演出表示部１０３に貯留されたパチンコ玉が連通穴１１４ａを通って誘導底板１２０に送り込まれ、該誘導底板１２０から玉揚送機構１５０に送り込まれる。そして、玉揚送機構１５０に送り込まれたパチンコ玉は、玉揚送機構１５０（揚送スプロケット１５１の回転）によるパチンコ玉の揚送、及び玉振分機構１６０（振分スプロケット１６１の回転）によるパチンコ玉の待機導入部１６４側への振り分けによって、待機貯留部１４０内に回収される。なお、このようなパチンコ玉の回収において、スライド板１２２の進退移動、言い換えれば、貯留演出表示部１０３から玉揚送機構１５０へのパチンコ玉の送り込みは、獲得玉数表示装置１００を初期状態に戻す場合、貯留演出表示部１０３〜１０５内のパチンコ玉を全て回収するまで行われ、獲得玉からパチンコ玉の貸し出しを行う場合、貸し出し数に対応するパチンコ玉を回収するまで行われる。また、玉揚送機構１５０によるパチンコ玉の揚送、及び玉振分機構１６０によるパチンコ玉の待機導入部１６４側への振り分けは、誘導底板１２０に設けられたセンサ１２０ａによるパチンコ玉の検出があるまで継続される。
【００９５】
以上のように、第一及び第二の実施形態の構成によれば、遊技継続中に遊技者が獲得しているパチンコ玉の総数を獲得玉数として玉数表示部１２に数値で表示することにより、遊技者に対して獲得玉数を正確に認識させることができる。また、遊技機における遊技で遊技者がパチンコ玉を獲得することに伴って玉導入機構２３により獲得玉数表示装置１０内にパチンコ玉を導入し、そのパチンコ玉を遊技者が視認可能に視認通路部１６を流下させた後、複数の貯留演出表示部１３〜１５で遊技者が視認可能に貯留することで、獲得したパチンコ玉を積み上げていくことによる達成感や優越感をリアルに遊技者に与えた上で遊技継続中の獲得玉数を遊技者に認識させることができる。また、このような構成において、複数の貯留演出表示部１３〜１５のパチンコ玉が満杯となった状態で玉導入機構２３によりパチンコ玉が導入されたときに、当該パチンコ玉を獲得玉数表示装置１０の外部に排出する排出通路部（前側通路２１及び後側通路２２の通路部分Ｔ）が設けられることで、獲得玉数に上限を設けることなく遊技者に獲得玉数を認識させる演出を継続的に行うことができる。
【００９６】
また、視認通路部１６及び複数の貯留演出表示部１３〜１５を、それぞれパチンコ玉の流下方向に沿って上下方向に列設すると共に、視認通路部１６と各貯留演出表示部１３〜１５間に各々を連通する連通通路部（前側通路２１）を設け、視認通路部１６を流下したパチンコ玉を、複数の貯留演出表示部のうち最上位に位置する貯留演出表示部１５から最下位に位置する貯留演出表示部１３に向けて送り込む構成とする。これにより、演出表示部を構成する複数の貯留演出表示部に対して、自然落下によりスムーズにパチンコ玉を送り込むことができる。また、獲得玉数表示装置１０を縦長形状の構成とすることができるので、遊技島台１に列設される各遊技機間となる狭いスペースに獲得玉数表示装置１０を配置することができる。
【００９７】
また、前面側を視認可能に被覆する透明カバー部材４０と、該透明カバー部材４０の内部に配置される内部突起部材４１とによって貯留演出表示部１３〜１５を構成して、内部突起部材４１と透明カバー部材４０との間の空間４２にパチンコ玉が満杯に貯留されたときに、遊技者に対して所定数のパチンコ玉で埋まったように見せる。これにより、所定数のパチンコ玉を獲得していることを認識させる貯留演出表示部の構成において、所定数よりも少ないパチンコ玉が満杯に貯留された状態でも、見た目上では貯留演出表示部に所定数のパチンコ玉が貯留されているように見せることができる。
【００９８】
また、遊技者が獲得しているパチンコ玉からのパチンコ玉の貸し出しを可能にする玉貸機２を設けて、該玉貸機２によるパチンコ玉の貸し出しが行われた場合には、遊技者が獲得したパチンコ玉の総数から玉貸機で貸し出されたパチンコ玉の総数を減算した数を獲得玉数として獲得玉数表示装置１０で表示する。これにより、遊技者が獲得したパチンコ玉からのパチンコ玉の貸し出しを可能にすることで、遊技の利便性を高めることができ、然も、パチンコ玉の獲得あるいは貸し出しに応じてトータルとしての獲得玉数を遊技者に認識させることができる。
【００９９】
なお、本実施形態では、遊技者が獲得したパチンコ玉の１／１０を玉導入手段に導入させるようにしたが、１／１を玉導入手段に導入させても良い。１／１で玉導入手段に玉を流す制御を行う場合には、例えば、貯留演出表示部１３，１４，１５に玉を貯めるか否かを決めるシャッタ開閉制御（図８に示す玉数比例演出処理のステップＳ２２，Ｓ２７，Ｓ３３）について、所定量（９００／１０００）まではシャッタを開放して玉を流下させ、所定量（９０１／１０００）以降になるとシャッタを閉鎖して貯留させる様に制御するとよい。このように制御することで、ちょうど１０００玉貯留したときに貯留演出表示部が満タンになる演出を行うことができ玉数表示部の表示と貯留演出表示部の貯留状態がリンクするので視覚的に玉がどの程度貯留されているのかを当該遊技中の客や、離れた位置にいる客に素早く認識させることができる共に、遊技者の獲得した玉と、視認通路部及び貯留演出表示部とを流れる玉が同数となりより一層遊技者への獲得玉のアピールを行うことが出来る。
【０１００】
また、第三実施形態の構成によれば、遊技継続中に遊技者が獲得しているパチンコ玉の総数を獲得玉数として玉数表示部１０２に数値で表示することにより、遊技者に対して獲得玉数を正確に認識させることができる。また、遊技機における遊技で遊技者がパチンコ玉を獲得することに伴って獲得玉数表示装置１００内で循環使用するパチンコ玉を玉振分機構１６０で視認通路部１０６に送り込み、そのパチンコ玉を遊技者が視認可能に視認通路部１０６を流下させた後、複数の貯留演出表示部１０３〜１０５で遊技者が視認可能に貯留することで、獲得したパチンコ玉を積み上げていくことによる達成感や優越感をリアルに遊技者に与えた上で遊技継続中の獲得玉数を遊技者に認識させることができる。また、このような構成において、複数の貯留演出表示部１０３〜１０５のパチンコ玉が満杯となった状態で玉振分機構１６０によりパチンコ玉が送り込まれたときに、当該パチンコ玉を獲得玉数表示装置１００内で回収する回収通路部（玉流下通路部１０１の通路部分Ｔ’）が設けられることで、獲得玉数に上限を設けることなく遊技者に獲得玉数を認識させる演出を継続的に行うことができる。
【０１０１】
なお、上記した実施形態では、遊技機における遊技において遊技者が獲得したパチンコ玉を玉計数装置に送り込み、該玉計数装置によるパチンコ玉の計数値に基づいて獲得玉数表示装置での玉数表示を制御する構成としているが、この構成に限定するものではなく、遊技機内でパチンコ玉を循環使用する封入式遊技機に本発明に係る獲得玉数表示装置を適用してもよい。この場合では、封入式遊技機に設けられる入賞装置へのパチンコ玉の入賞に伴って賞球信号を出力し、該賞球信号に基づいて獲得玉数表示装置での玉数表示を制御する構成となる。
【符号の説明】
【０１０２】
１  遊技島台
２  玉貸機
４  上部島枠
５  下部島枠
９  外枠
１０  獲得玉数表示装置
１１  玉流下通路部
１２  玉数表示部
１３〜１５  貯留演出表示部
１６  視認通路部
１７〜１９  発光演出表示部
２１  前側通路（排出通路部、連通通路部）
２２  後側通路（排出通路部）
２３  玉導入機構（玉導入手段）
２４，２５  連通穴
２９  排出口
３１  シャッタ
４０  透明カバー部材
４１  内部突起部材
４２  空間（貯留空間）
４３  発光部材
４４  センサ
５０  玉計数装置
１００  獲得玉数表示装置
１０１  玉流下通路部（回収通路部）
１０２  玉数表示部
１０３〜１０５  貯留演出表示部
１０６  視認通路部
１４０  待機貯留部
１５０  玉揚送機構（玉揚送手段）
１６０  玉振分機構（玉振分手段）
Ｔ  通路部分（排出通路部）
Ｔ’  通路部分（回収通路部）
【図１】
0005887812.tif 000002
【図２】
0005887812.tif 000003
【図３】
0005887812.tif 000004
【図４】
0005887812.tif 000005
【図５】
0005887812.tif 000006
【図６】
0005887812.tif 000007
【図７】
0005887812.tif 000008
【図８】
0005887812.tif 000009
【図９】
0005887812.tif 000010
【図１０】
0005887812.tif 000011
【図１１】
0005887812.tif 000012
【図１２】
0005887812.tif 000013
【図１３】
0005887812.tif 000014
【図１４】
0005887812.tif 000015
【図１５】
0005887812.tif 000016
【図１６】
0005887812.tif 000017
【図１７】
0005887812.tif 000018
【図１８】
0005887812.tif 000019
【図１９】
0005887812.tif 000020
【図２０】
0005887812.tif 000021
【図２１】
0005887812.tif 000022
【図２２】
0005887812.tif 000023
【図２３】
0005887812.tif 000024
【図２４】
0005887812.tif 000025